(57)【要約】  本発明の技術的解決策は、充電回路、端末、及び充電システムを提供する。充電回路は充電器、端末負荷、及びバッテリに別個に接続され、充電回路は第１の調整回路、電流検出回路、電圧検出回路、及び制御回路を含む。第１の調整回路の第１の端部が充電器に接続され、第１の調整回路の第２の端部が端末負荷にさらに接続され、第１の調整回路の第３の端部が制御回路に接続され、電流検出回路の第２の端部がバッテリの正の電極に接続され、バッテリの負の電極が充電器に接続され、電流検出回路はバッテリの負の電極と充電器との間に直列に接続される。本発明で提供される充電回路は、充電電流が突然増加したとき、過度に高い充電電流に起因した充電回路及びバッテリへの損傷を防止するために、充電電流を調整することができる。
2019530412.tif 000002
【特許請求の範囲】
【請求項１】
充電回路であって、当該充電回路は充電器、端末負荷、及びバッテリに別個に接続され、当該充電回路は第１の調整回路、電流検出回路、電圧検出回路、及び制御回路を含み、
前記第１の調整回路の第１の端部が前記充電器に接続され、前記第１の調整回路の第２の端部が前記バッテリの正の電極に接続され、前記第１の調整回路の前記第２の端部は前記端末負荷にさらに接続され、前記第１の調整回路の第３の端部が前記制御回路に接続され、
前記バッテリの負の電極が前記充電器に接続され、
前記電流検出回路は、前記第１の調整回路の前記第２の端部と前記バッテリの前記正の電極との間に直列に接続され、或いは前記バッテリの前記負の電極と前記充電器との間に直列に接続され、
前記電圧検出回路の検出端部が、前記バッテリの前記正及び負の電極に並列に接続され、前記電圧検出回路の出力端部が前記制御回路に接続され、
前記電圧検出回路は、前記バッテリの２つの端部で電圧を検出して前記バッテリの電圧値を取得し、前記バッテリの前記電圧値を前記制御回路に送信するように構成され、
前記電流検出回路は、当該充電回路の電流を検出して当該充電回路の電流値を取得し、前記電流値を前記第１の調整回路に送信するように構成され、
前記制御回路は、前記バッテリの前記電圧値に従って充電モードを決定し、前記充電モードに従って電流上限値を決定するように構成され、
前記第１の調整回路は、前記電流値及び前記電流上限値を取得するように構成され、前記電流値を前記電流上限値と比較して前記電流値が前記電流上限値より大きいかどうかを決定し、前記電流値が前記電流上限値より大きいとき、前記電流値に従って前記第１の調整回路のインピーダンスを上方に調整するようにさらに構成される、
充電回路。
【請求項２】
前記制御回路は、前記充電モードに従って電流下限値を決定するようにさらに構成され、
前記第１の調整回路は、前記電流下限値を取得し、前記電流値を前記電流下限値と比較して前記電流値が前記電流下限値より小さいかどうかを決定し、前記電流値が前記電流下限値より小さいとき、前記電流値に従って前記第１の調整回路の前記インピーダンスを下方に調整するようにさらに構成される、
請求項１に記載の充電回路。
【請求項３】
当該充電回路は保護回路をさらに含み、
前記保護回路は前記充電器と前記第１の調整回路の前記第１の端部との間に直列に接続され、
前記制御回路は前記保護回路にさらに接続され、
前記制御回路は、前記充電モードに従って保護トリガ条件を決定し、前記保護トリガ条件を前記保護回路に送信するようにさらに構成され、
前記保護回路は、前記充電器の出力電流を検出して出力電流値を決定し、前記出力電流値が前記保護トリガ条件を満たすかどうかを決定し、前記出力電流値が前記保護トリガ条件を満たすとき、スイッチを開いて充電を中断するように構成される、
請求項１又は２に記載の充電回路。
【請求項４】
当該充電回路は通信回路をさらに含み、前記通信回路は前記制御回路に接続され、
前記制御回路は、前記充電モードを前記通信回路に送信するようにさらに構成され、
前記通信回路は、前記充電モードを前記充電器に送信するように構成され、それにより、前記充電器は前記充電モードに従って充電を実行する、
請求項１乃至３のうちいずれか１項に記載の充電回路。
【請求項５】
当該充電回路は第２の調整回路をさらに含み、
前記第２の調整回路は前記第１の調整回路の前記第２の端部と前記バッテリの前記正の電極との間に直列に接続され、前記第２の調整回路は前記制御回路にさらに接続され、
前記制御回路は、前記充電モードに従って前記第２の調整回路の調整閾値を決定するようにさらに構成され、
前記第２の調整回路は、前記電流値と前記第２の調整回路の前記調整閾値とに従って前記第２の調整回路のインピーダンスを調整するように構成される、
請求項１乃至４のうちいずれか１項に記載の充電回路。
【請求項６】
当該充電回路は第３の調整回路及び電流監視回路をさらに含み、
前記第３の調整回路及び前記電流監視回路は、前記第１の調整回路の前記第２の端部と前記端末負荷との間に直列に接続され、前記電流監視回路は、前記端末負荷の電流の減少幅を監視し、前記減少幅が予め設定された閾値を超えたとき、調整命令を前記第３の調整回路に送信するように構成され、
前記第３の調整回路は、前記調整命令に従って前記第３の調整回路のインピーダンスを上方に調整するように構成される、
請求項１乃至５のうちいずれか１項に記載の充電回路。
【請求項７】
前記第３の調整回路は、予め設定された期間の後、前記第３の調整回路の前記インピーダンスを、前記インピーダンスが上方に調整される前の状態に戻すようにさらに構成される、
請求項６に記載の方法。
【請求項８】
充電回路であって、当該充電回路は充電器、端末負荷、及びバッテリに別個に接続され、当該充電回路は第１の調整回路、電流検出回路、電圧検出回路、及び制御回路を含み、
前記第１の調整回路の第１の端部が前記充電器に接続され、前記第１の調整回路の前記第１の端部は前記端末負荷にさらに接続され、前記第１の調整回路の第２の端部が前記バッテリの正の電極に接続され、前記第１の調整回路の第３の端部が前記制御回路に接続され、
前記バッテリの負の電極が前記充電器に接続され、
前記電流検出回路は前記第１の調整回路の前記第２の端部と前記バッテリの前記正の電極との間に直列に接続され、或いは前記バッテリの前記負の電極と前記充電器との間に直列に接続され、
前記電圧検出回路の検出端部が前記バッテリの前記正及び負の電極に並列に接続され、前記電圧検出回路の出力端部が前記制御回路に接続され、
前記電圧検出回路は、前記バッテリの２つの端部で電圧を検出して前記バッテリの電圧値を取得し、前記バッテリの前記電圧値を前記制御回路に送信するように構成され、
前記電流検出回路は、当該充電回路の電流を検出して当該充電回路の電流値を取得し、前記電流値を前記第１の調整回路に送信するように構成され、
前記制御回路は、前記バッテリの前記電圧値に従って充電モードを決定し、前記充電モードに従って電流上限値を決定するように構成され、
前記第１の調整回路は、前記電流値及び前記電流上限値を取得するように構成され、前記電流値を前記電流上限値と比較して前記電流値が前記電流上限値より大きいかどうかを決定し、前記電流値が前記電流上限値より大きいとき、前記電流値に従って前記第１の調整回路のインピーダンスを上方に調整するようにさらに構成される、
充電回路。
【請求項９】
前記制御回路は、前記充電モードに従って電流下限値を決定するようにさらに構成され、
前記第１の調整回路は、前記電流下限値を取得し、前記電流値を前記電流下限値と比較して前記電流値が前記電流下限値より小さいかどうかを決定し、前記電流値が前記電流下限値より小さいとき、前記電流値に従って前記調整回路の前記インピーダンスを下方に調整するように構成される、
請求項８に記載の充電回路。
【請求項１０】
当該充電回路は保護回路をさらに含み、
前記保護回路は前記充電器と前記第１の調整回路の前記第１の端部との間に直列に接続され、
前記制御回路は前記保護回路にさらに接続され、
前記制御回路は、前記充電モードに従って保護トリガ条件を決定し、前記保護トリガ条件を前記保護回路に送信するようにさらに構成され、
前記保護回路は、前記充電器の出力電流を検出して出力電流値を決定し、前記出力電流値が前記保護トリガ条件を満たすかどうかを決定し、前記出力電流値が前記保護トリガ条件を満たすとき、スイッチを開いて充電を中断するように構成される、
請求項８又は９に記載の充電回路。
【請求項１１】
当該充電回路は通信回路をさらに含み、当該通信回路は前記制御回路に接続され、
前記制御回路は、前記充電モードを前記通信回路に送信するようにさらに構成され、
前記通信回路は、前記充電モードを前記充電器に送信するように構成され、それにより、前記充電器は前記充電モードに従って充電を実行する、
請求項８乃至１０のうちいずれか１項に記載の充電回路。
【請求項１２】
当該充電回路は第２の調整回路及び電流監視回路をさらに含み、
前記第２の調整回路及び前記電流監視回路は、前記第１の調整回路の前記第１の端部と前記端末負荷との間に直列に接続され、
前記電流監視回路は、前記端末負荷の電流の減少幅を監視し、前記減少幅が予め設定された閾値を超えたとき、調整命令を前記第２の調整回路に送信するように構成され、
前記第２の調整回路は、前記調整命令に従って前記第２の調整回路のインピーダンスを上方に調整するように構成される、
請求項８乃至１１のうちいずれか１項に記載の充電回路。
【請求項１３】
前記第２の調整回路は、予め設定された期間の後、前記第２の調整回路の前記インピーダンスを、前記インピーダンスが上方に調整される前の状態に戻すようにさらに構成される、
請求項１２に記載の方法。
【請求項１４】
充電回路であって、当該充電回路は充電器、端末負荷、及びバッテリに別個に接続され、当該充電回路は調整回路及び電流監視回路を含み、
前記調整回路の第１の端部が前記充電器に接続され、前記調整回路の第２の端部が前記電流監視回路の第１の端部に接続され、前記電流監視回路の第２の端部が前記端末負荷に接続され、
前記充電器の正の電極が前記バッテリの正の電極に接続され、前記充電器の負の電極が前記バッテリの負の電極に接続され、
前記電流監視回路は、前記端末負荷の電流の減少幅を監視し、前記減少幅が予め設定された閾値を超えたとき、調整命令を前記調整回路に送信するように構成され、
前記調整回路は、前記調整命令に従って前記調整回路のインピーダンスを上方に調整するように構成される、
充電回路。
【請求項１５】
前記調整回路は、予め設定された期間の後、前記調整回路の前記インピーダンスを、前記インピーダンスが上方に調整される前の状態に戻すようにさらに構成される、
請求項１４に記載の方法。
【請求項１６】
当該充電回路は電流検出回路、電圧検出回路、制御回路、及び保護回路をさらに含み、
前記保護回路は前記充電器と前記バッテリの前記正の電極との間に直列に接続され、
前記電流検出回路は前記保護回路と前記バッテリの前記正の電極との間に直列に接続され、或いは前記バッテリの前記負の電極と前記充電器との間に直列に接続され、
前記電圧検出回路の検出端部が前記バッテリの前記正及び負の電極に並列に接続され、
前記制御回路は前記電流検出回路に接続され、前記電圧検出回路にさらに接続され、前記保護回路にさらに接続され、
前記電圧検出回路は、前記バッテリの２つの端部で電圧を検出して前記バッテリの電圧値を取得し、前記バッテリの前記電圧値を前記制御回路に送信するように構成され、
前記電流検出回路は、当該充電回路の電流を検出して当該充電回路の電流値を取得し、前記電流値を前記保護回路に送信するように構成され、
前記制御回路は、前記バッテリの前記電圧値に従って充電モードを決定し、前記充電モードに従って保護トリガ条件を決定するように構成され、
前記保護回路は、前記充電器の出力電流を検出して出力電流値を決定し、前記出力電流値が前記保護トリガ条件を満たすかどうかを決定し、前記出力電流値が前記保護トリガ条件を満たすとき、スイッチを開いて充電を中断するように構成され、
前記保護回路は、前記バッテリの前記電圧値を取得し、前記バッテリの前記電圧値が前記保護トリガ条件を満たすかどうかを決定し、前記バッテリの前記電圧値が前記保護トリガ条件を満たすとき、前記スイッチを開いて充電を中断するようにさらに構成される、
請求項１５に記載の充電回路。
【請求項１７】
請求項１乃至１６のうちいずれか１項に記載の充電回路を含む端末。
【請求項１８】
充電システムであって、当該充電システムは充電器、接続ケーブル、及び請求項１７に記載の端末を含み、
前記充電器は前記接続ケーブルを使用することにより前記端末に接続される、
充電システム。
【請求項１９】
充電方法であって、
充電電流を検出して充電電流値を取得するステップと、
バッテリの電圧を検出して前記バッテリの電圧値を取得するステップと、
前記バッテリの前記電圧値に一致する充電モードを決定するステップと、
前記充電モードに従って電流上限値を決定するステップと、
前記充電電流値が前記電流上限値より大きいとき、前記充電電流値に従って充電パスのインピーダンスを上方に調整するステップと、
を含む方法。
【請求項２０】
前記充電モードに従って電流下限値を決定するステップと、
前記充電電流値が前記電流下限値より小さいとき、前記充電電流値に従って前記充電パスの前記インピーダンスを下方に調整するステップと、
をさらに含む請求項１９に記載の方法。
【発明の詳細な説明】
【技術分野】
【０００１】
本発明は充電技術に関し、詳細には充電回路、端末、及び充電システムに関する。
【背景技術】
【０００２】
科学及び技術の発展により、端末の機能はより強化しており、ユーザは端末を使用することによりオフィスワーク及びエンターテインメントを実行できる。ゆえに、端末は人々の日常生活において不可欠な部分になっている。しかしながら、端末の持続能力は限られており、ユーザは端末を絶えず充電する必要がある。ユーザが端末を適切に使用できることを確保するために、高速技術が充電の好ましい解決策になる。
【０００３】
現在、一般的な高速充電技術は２つのタイプ、すなわち、低電圧高電流高速充電技術と高電圧低電流高速充電技術とに主に分類され得る。低電圧高電流高速充電及び高電圧低電流高速充電の双方について、端末の充電回路内の電流が、バッテリに入力されるとき、より高い充電電流（これは、バッテリが耐えられる最大安全充電電流又はバッテリ寿命を損なわない安全充電電流を超えることはできない）に変換され得る。この場合、高電流充電がバッテリに対して実行されるときに高速充電の充電安全性を確保する方法が特に重要になる。
【０００４】
図１に示されるように、電子デバイス充電制御装置が従来技術において提供されている。電子デバイス充電制御装置により電子デバイス内のバッテリを充電するプロセスにおいて、電源アダプタは先ず、定電圧出力を用いてバッテリを充電する。充電制御モジュールにより送信された高速充電命令コマンドを受信した後、電源アダプタは、充電制御モジュールによりフィードバックされたバッテリ電圧に従って出力電圧を調整し、出力電圧が充電制御モジュールにより予め設定された高速充電電圧条件を満たすとき高速充電電流値及び高速充電電圧値に従って出力電流及び出力電圧を調整して、バッテリに対する高速充電を実行する。さらに、充電制御モジュールは、電源アダプタから直流を導入してバッテリを充電する。高速充電プロセスにおいて、電源アダプタは、電源アダプタの出力電圧とバッテリ電圧とに従ってリアルタイムで出力電流をさらに調整し、それにより、バッテリの高速充電が、電源アダプタの出力電流及び出力電圧を調整することにより実現される。
【０００５】
前述から、技術的解決策において、電源アダプタは電子デバイス内の充電制御モジュールから充電電流及び充電電圧のフィードバック情報をリアルタイム通信方式で取得し、電源アダプタにおいてリアルタイム調整を実行することが習得できる。技術的解決策は、充電プロセスにおいてリアルタイム調整に対する要件が比較的低いシナリオに適用可能である。リアルタイム調整に対する要件が比較的高い充電シナリオにおいて、端末負荷により要求される電流が突然減少し、電源アダプタの出力調整が適時に実行されない場合、バッテリに流れる充電電流は突然増加する。これは、電子デバイス内の充電回路及び充電バッテリに対する潜在的な安全性の脅威を容易に引き起こす。
【発明の概要】
【０００６】
本発明の実施例は、充電回路、端末、及び充電システムを提供し、それにより、端末負荷により消費される電流が減少し且つ電源アダプタからの出力電流が適時に調整できないため充電中に充電電流が突然増加するシナリオにおいて、充電電流は、過度に高い充電電流に起因したバッテリ又は充電回路への損傷を防止するように調整及び制御でき、それにより、充電安全性を確保する。
【０００７】
本発明の第１の態様が充電回路を提供する。充電回路は充電器、端末負荷、及びバッテリに別個に接続され、それにより、充電回路を使用することによりバッテリを充電するとき、充電器は電力を端末負荷にさらに供給できる。
【０００８】
具体的に、充電回路は第１の調整回路、電流検出回路、電圧検出回路、及び制御回路を含む。
【０００９】
第１の調整回路の第１の端部が充電器に接続され、第１の調整回路の第２の端部がバッテリの正の電極に接続され、第１の調整回路の第２の端部は端末負荷にさらに接続され、第１の調整回路の第３の端部が制御回路に接続される。
【００１０】
バッテリの負の電極が充電器に接続される。
【００１１】
電流検出回路は、第１の調整回路の第２の端部とバッテリの正の電極との間に直列に接続され、或いはバッテリの負の電極と充電器との間に直列に接続される。
【００１２】
電圧検出回路の検出端部が、バッテリの正及び負の電極に並列に接続され、電圧検出回路の出力端部が制御回路にさらに接続される。
【００１３】
電圧検出回路は、バッテリの２つの端部で電圧を検出してバッテリの電圧値を取得し、バッテリの電圧値を制御回路に送信するように構成される。
【００１４】
電流検出回路は、充電回路の電流を検出して充電回路の電流値を取得し、電流値を第１の調整回路に送信するように構成される。
【００１５】
制御回路は、バッテリの電圧値に従って充電モードを決定し、充電モードに従って電流上限値を決定するように構成される。
【００１６】
第１の調整回路は、電流値及び電流上限値を取得するように構成され、電流値を電流上限値と比較して電流値が電流上限値より大きいかどうかを決定し、電流値が電流上限値より大きいとき、電流値に従って第１の調整回路のインピーダンスを上方に調整するようにさらに構成される。
【００１７】
第１の調整回路のインピーダンスを上方に調整することの目的は充電電流を減少させることであり、すなわち、より大きい電流値は第１の調整回路のより高い調整されたインピーダンスを示すことが留意されるべきである。
【００１８】
さらに、電流検出回路は制御回路にさらに接続されることが留意されるべきである。
【００１９】
電流検出回路は、電流値を制御回路に送信するようにさらに構成される。
【００２０】
制御回路は、電流値が電流上限値より大きいかどうかを決定し、電流値が電流上限値より大きいとき、調整命令を充電器に送信するように構成され、それにより、充電器は出力電力、出力電流、又は出力電圧を下方に調整する。
【００２１】
第１の態様を参照し、制御回路は、充電モードに従って電流下限値を決定するようにさらに構成されることが留意されるべきである。第１の調整回路は、電流下限値を取得し、電流値を電流下限値と比較して電流値が電流下限値より小さいかどうかを決定し、電流値が電流下限値より小さいとき、電流値に従って第１の調整回路のインピーダンスを下方に調整するようにさらに構成される。
【００２２】
第１の調整回路のインピーダンスが現在比較的高い場合、充電器の出力電流は、制御回路が充電器と相互作用した後に減少することが留意されるべきである。この場合、充電回路の充電電流は減少し、充電効率が影響を受ける。バッテリの充電効率を確保するために、この場合、第１の調整回路のインピーダンスは、充電電流を増加させるように下方に調整される必要がある。
【００２３】
第１の態様を参照し、過電圧又は過電流を防止するために、充電回路は保護回路をさらに含む。保護回路は充電器と第１の調整回路の第１の端部との間に直列に接続される。制御回路は保護回路にさらに接続される。制御回路は、充電モードに従って保護トリガ条件を決定し、保護トリガ条件を保護回路に送信するようにさらに構成される。保護回路は、充電器の出力電流を検出して出力電流値を決定し、出力電流値が保護トリガ条件を満たすかどうかを決定し、出力電流値が保護トリガ条件を満たすとき、スイッチを開いて充電を中断するように構成される。
【００２４】
保護トリガ条件は電流保護トリガ条件及び電圧保護トリガ条件を含むことが留意されるべきである。すなわち、保護回路は、充電器の出力電流を検出して出力電流値を決定し、出力電流値が電流保護トリガ条件より大きいかどうかを決定し、出力電流値が電流保護トリガ条件より大きいとき、スイッチを開いて充電を中断するように具体的に構成される。
【００２５】
保護回路は、バッテリの電圧が過電圧であるかどうかを検出し、充電器の出力電圧が過電圧であるかどうかを検出し得ることが理解され得る。ゆえに、電圧保護トリガ条件はバッテリ電圧保護トリガ条件及び充電器電圧トリガ保護条件を含む。具体的に、バッテリの電圧はバッテリ電圧保護トリガ条件に対応し、充電器の出力電圧は充電器電圧保護トリガ条件に対応する。
【００２６】
さらに、保護回路は、バッテリの電圧値を取得するように電圧検出回路にさらに接続される。保護回路は、バッテリの電圧値がバッテリ電圧保護トリガ条件より大きいかどうかを決定し、バッテリの電圧値がバッテリ電圧保護トリガ条件より大きいとき、スイッチを開いて充電を中断するようにさらに構成される。
【００２７】
さらに、保護回路は、充電器の出力電圧を検出して出力電圧値を取得し、出力電圧値が充電器電圧保護トリガ条件より大きいかどうかを決定し、出力電圧値が充電器電圧保護トリガ条件より大きいとき、スイッチを開いて充電を中断するようにさらに構成される。
【００２８】
第１の態様を参照し、制御回路、充電回路は、通信回路をさらに含むことが留意されるべきである。通信回路は制御回路に接続される。
【００２９】
制御回路は、充電モードを通信回路に送信するようにさらに構成される。
【００３０】
通信回路は、充電モードを充電器に送信するように構成され、それにより、充電器は充電モードに従って充電を実行する。
【００３１】
通信回路は、接続ケーブルを使用することにより充電器に接続されてもよく、或いは無線方式で充電器と相互作用して情報転送を実行してもよいことが留意されるべきである。
【００３２】
第１の態様を参照し、充電電流をより正確に調整するために、充電回路は第２の調整回路をさらに含む。
【００３３】
第２の調整回路は第１の調整回路の第２の端部とバッテリの正の電極との間に直列に接続される。電流検出回路が第１の調整回路とバッテリの正の電極との間に直列に接続される場合、代替的に、第２の調整回路は、バッテリの正の電極と電流検出回路との間に直列に接続されてもよく、或いは第１の調整回路の第２の端部と電流検出回路との間に直列に接続されてもよいことが留意されるべきである。
【００３４】
第２の調整回路は制御回路にさらに接続される。
【００３５】
制御回路は、充電モードに従って第２の調整回路の調整閾値を決定するようにさらに構成される。
【００３６】
第２の調整回路は、電流値と第２の調整回路の調整閾値とに従って第２の調整回路のインピーダンスを調整するように構成される。
【００３７】
具体的に、第２の調整回路の調整閾値は上側閾値及び下側閾値をさらに含むことが留意されるべきである。電流値が上側閾値より大きいとき、第２の調整回路のインピーダンスは充電電流を減少させるように上方に調整され、或いは電流値が下側閾値より小さいとき、第２の調整回路のインピーダンスは充電電流を増加させるように下方に調整されることが理解され得る。
【００３８】
第１の態様を参照し、端末負荷により要求される電流が突然減少することを防止するために、充電回路は第３の調整回路及び電流監視回路をさらに含むことが留意されるべきである。
【００３９】
第３の調整回路及び電流監視回路は、第１の調整回路の第２の端部と端末負荷との間に直列に接続される。
【００４０】
電流監視回路は、端末負荷の電流の減少幅を監視し、減少幅が予め設定された閾値を超えたとき、調整命令を第３の調整回路に送信するように構成される。
【００４１】
第３の調整回路は、調整命令に従って第３の調整回路のインピーダンスを上方に調整するように構成される。
【００４２】
さらに、第３の調整回路は、予め設定された期間の後、第３の調整回路のインピーダンスを、インピーダンスが上方に調整される前の状態に戻すようにさらに構成されることが留意されるべきである。代替的に、第３の調整回路は、予め設定された期間の後、第３の調整回路のインピーダンスを下方に調整するようにさらに構成される。
【００４３】
予め設定された期間は充電器の電流調整期間より大きいことが留意されるべきである。端末負荷により要求される電流が減少した後、充電回路の電流は増加する。ゆえに、この場合、制御回路は、出力電流を減少させるための命令を充電器に送信する。命令を受信した後、充電器は電流調整期間を有し、すなわち、充電器は電流調整期間内に電流をターゲット値に調整する。
【００４４】
本発明の第２の態様が別の充電回路を開示する。充電回路は充電器、端末負荷、及びバッテリに別個に接続され、充電回路は第１の調整回路、電流検出回路、電圧検出回路、及び制御回路を含む。
【００４５】
第１の態様で開示された充電回路と異なり、充電回路内の調整回路は分岐回路において配置される。
【００４６】
具体的に、第１の調整回路の第１の端部が充電器に接続され、第１の調整回路の第１の端部は端末負荷にさらに接続され、第１の調整回路の第２の端部がバッテリの正の電極に接続され、第１の調整回路の第３の端部が制御回路に接続される。
【００４７】
バッテリの負の電極が充電器に接続される。
【００４８】
電流検出回路は第１の調整回路の第２の端部とバッテリの正の電極との間に直列に接続され、或いはバッテリの負の電極と充電器との間に直列に接続される。
【００４９】
電圧検出回路の検出端部がバッテリの正及び負の電極に並列に接続され、電圧検出回路の出力端部が制御回路に接続される。
【００５０】
電圧検出回路は、バッテリの２つの端部で電圧を検出してバッテリの電圧値を取得し、バッテリの電圧値を制御回路に送信するように構成される。
【００５１】
電流検出回路は、充電回路の電流を検出して充電回路の電流値を取得し、電流値を第１の調整回路に送信するように構成される。
【００５２】
制御回路は、バッテリの電圧値に従って充電モードを決定し、充電モードに従って電流上限値を決定するように構成される。
【００５３】
第１の調整回路は、電流値及び電流上限値を取得するように構成され、電流値を電流上限値と比較して電流値が電流上限値より大きいかどうかを決定し、電流値が電流上限値より大きいとき、電流値に従って第１の調整回路のインピーダンスを上方に調整するようにさらに構成される。
【００５４】
さらに、電流検出回路は制御回路にさらに接続されることが留意されるべきである。
【００５５】
電流検出回路は、電流値を制御回路に送信するようにさらに構成される。
【００５６】
制御回路は、電流値が電流上限値より大きいかどうかを決定し、電流値が電流上限値より大きいとき、調整命令を充電器に送信するように構成され、それにより、充電器は出力電力、出力電流、又は出力電圧を下方に調整する。
【００５７】
第２の態様を参照し、制御回路が充電器と相互作用した後、充電器は出力電流を下方に調整することが留意されるべきである。この場合、充電電流は減少する。充電効率を確保するために、第１の調整回路のインピーダンスは下方に調整される必要がある。詳細は以下のとおりである。
【００５８】
制御回路は、充電モードに従って電流下限値を決定するようにさらに構成される。
【００５９】
第１の調整回路は、電流下限値を取得し、電流値を電流下限値と比較して電流値が電流下限値より小さいかどうかを決定し、電流値が電流下限値より小さいとき、電流値に従って調整回路のインピーダンスを下方に調整するように構成される。
【００６０】
第２の態様を参照し、過電圧又は過電流を防止するために、充電回路は保護回路をさらに含む。
【００６１】
保護回路は充電器と第１の調整回路の第１の端部との間に直列に接続される。
【００６２】
制御回路は保護回路にさらに接続される。
【００６３】
制御回路は、充電モードに従って保護トリガ条件を決定し、保護トリガ条件を保護回路に送信するようにさらに構成される。
【００６４】
保護回路は、充電器の出力電流を検出して出力電流値を決定し、出力電流値が保護トリガ条件を満たすかどうかを決定し、出力電流値が保護トリガ条件を満たすとき、スイッチを開いて充電を中断するように構成される。
【００６５】
保護トリガ条件は電流トリガ保護条件及び電圧トリガ保護条件の双方を含むことが理解され得る。
【００６６】
具体的に、保護回路は、出力電流値が電流保護トリガ条件より大きいかどうかを決定し、出力電流値が電流保護トリガ条件より大きいとき、スイッチを開いて充電を中断するように構成される。
【００６７】
保護回路は、バッテリの電圧が過電圧であるかどうかを検出し、充電器の出力電圧が過電圧であるかどうかを検出し得ることが理解され得る。ゆえに、電圧保護トリガ条件はバッテリ電圧保護トリガ条件及び充電器電圧トリガ保護条件を含む。具体的に、バッテリの電圧はバッテリ電圧保護トリガ条件に対応し、充電器の出力電圧は充電器電圧保護トリガ条件に対応する。
【００６８】
さらに、保護回路は、バッテリの電圧値を取得するように電圧検出回路にさらに接続される。保護回路は、バッテリの電圧値がバッテリ電圧保護トリガ条件より大きいかどうかを決定し、バッテリの電圧値がバッテリ電圧保護トリガ条件より大きいとき、スイッチを開いて充電を中断するようにさらに構成される。
【００６９】
さらに、保護回路は、充電器の出力電圧を検出して出力電圧値を取得し、出力電圧値が充電器電圧保護トリガ条件より大きいかどうかを決定し、出力電圧値が充電器電圧保護トリガ条件より大きいとき、スイッチを開いて充電を中断するようにさらに構成される。
【００７０】
第２の態様を参照し、制御回路は、出力電力、出力電圧、又は出力電流を調整するように充電器を制御するために、充電器と相互作用する必要があることが留意されるべきである。ゆえに、充電回路は通信回路をさらに含む。通信回路は制御回路に接続される。
【００７１】
制御回路は、充電モードを通信回路に送信するようにさらに構成される。
【００７２】
通信回路は、充電モードを充電器に送信するように構成され、それにより、充電器は充電モードに従って充電を実行する。
【００７３】
通信回路は、情報転送を実行するために接続ケーブルを使用することにより充電器に接続されてもよいことが留意されるべきである。代替的に、通信回路は無線方式で充電器と相互作用してもよい。
【００７４】
第２の態様を参照し、任意選択で、充電回路は第２の調整回路及び電流監視回路をさらに含む。
【００７５】
第２の調整回路及び電流監視回路は、第１の調整回路の第１の端部と端末負荷との間に直列に接続される。
【００７６】
電流監視回路は、端末負荷の電流の減少幅を監視し、減少幅が予め設定された閾値を超えたとき、調整命令を第２の調整回路に送信するように構成される。
【００７７】
第２の調整回路は、調整命令に従って第２の調整回路のインピーダンスを上方に調整するように構成される。
【００７８】
さらに、第２の調整回路は、予め設定された期間の後、第２の調整回路のインピーダンスを、インピーダンスが上方に調整される前の状態に戻すようにさらに構成されることが留意されるべきである。
【００７９】
本発明の第３の態様が別の充電回路を開示する。充電回路は充電器、端末負荷、及びバッテリに別個に接続され、充電回路は調整回路及び電流監視回路を含む。
【００８０】
調整回路の第１の端部が充電器に接続され、調整回路の第２の端部が電流監視回路の第１の端部に接続され、電流監視回路の第２の端部が端末負荷に接続される。
【００８１】
充電器の正の電極がバッテリの正の電極に接続され、充電器の負の電極がバッテリの負の電極に接続される。
【００８２】
電流監視回路は、端末負荷の電流の減少幅を監視し、減少幅が予め設定された閾値を超えたとき、調整命令を調整回路に送信するように構成される。
【００８３】
調整回路は、調整命令に従って調整回路のインピーダンスを上方に調整するように構成される。
【００８４】
さらに、調整回路は、調整回路のインピーダンスが上方に調整されるための予め設定された期間の後、調整回路のインピーダンスを、インピーダンスが上方に調整される前の状態に戻すようにさらに構成されることが留意されるべきである。
【００８５】
第３の態様を参照し、過電圧又は過電流を防止するために、充電回路は電流検出回路、電圧検出回路、制御回路、及び保護回路をさらに含むことが留意されるべきである。
【００８６】
保護回路は充電器とバッテリの正の電極との間に直列に接続される。
【００８７】
電流検出回路は保護回路とバッテリの正の電極との間に直列に接続され、或いはバッテリの負の電極と充電器との間に直列に接続される。
【００８８】
電圧検出回路の検出端部がバッテリの正及び負の電極に並列に接続される。
【００８９】
制御回路は電流検出回路に接続され、電圧検出回路の出力端部にさらに接続され、保護回路にさらに接続される。
【００９０】
電圧検出回路は、バッテリの２つの端部で電圧を検出してバッテリの電圧値を取得し、バッテリの電圧値を制御回路に送信するように構成される。
【００９１】
電流検出回路は、充電回路の電流を検出して充電回路の電流値を取得し、電流値を保護回路に送信するように構成される。
【００９２】
制御回路は、バッテリの電圧値に従って充電モードを決定し、充電モードに従って保護トリガ条件を決定するように構成される。
【００９３】
保護回路は、充電器の出力電流を検出して出力電流値を決定し、出力電流値が保護トリガ条件を満たすかどうかを決定し、出力電流値が保護トリガ条件を満たすとき、スイッチを開いて充電を中断するように構成される。
【００９４】
保護回路は、バッテリの電圧が過電圧であるかどうかを検出し、充電器の出力電圧が過電圧であるかどうかを検出し得ることが理解され得る。ゆえに、電圧保護トリガ条件はバッテリ電圧保護トリガ条件及び充電器電圧トリガ保護条件を含む。具体的に、バッテリの電圧はバッテリ電圧保護トリガ条件に対応し、充電器の出力電圧は充電器電圧保護トリガ条件に対応する。
【００９５】
さらに、保護回路は、バッテリの電圧値を取得するように電圧検出回路にさらに接続される。保護回路は、バッテリの電圧値がバッテリ電圧保護トリガ条件より大きいかどうかを決定し、バッテリの電圧値がバッテリ電圧保護トリガ条件より大きいとき、スイッチを開いて充電を中断するようにさらに構成される。
【００９６】
さらに、保護回路は、充電器の出力電圧を検出して出力電圧値を取得し、出力電圧値が充電器電圧保護トリガ条件より大きいかどうかを決定し、出力電圧値が充電器電圧保護トリガ条件より大きいとき、スイッチを開いて充電を中断するようにさらに構成される。
【００９７】
本発明の第４の態様が端末をさらに開示する。端末は第１の態様乃至第３の態様のうちいずれか１つに記載の充電回路を含む。
【００９８】
本発明の第５の態様が充電システムを開示する。充電システムは、充電器、接続ケーブル、及び第４の態様に記載の端末を含む。
【００９９】
充電器は、接続ケーブルを使用することにより端末に接続される。
【０１００】
本発明の第６の態様が充電方法を開示する。方法は、充電電流を検出して充電電流値を取得するステップと、バッテリの電圧を検出してバッテリの電圧値を取得するステップと、バッテリの電圧値に一致する充電モードを決定するステップと、充電モードに従って電流上限値を決定するステップと、充電電流値が電流上限値より大きいとき、充電電流値に従って充電パスのインピーダンスを上方に調整するステップと、を含む。
【０１０１】
さらに、方法は、充電モードに従って電流下限値を決定するステップと、充電電流値が電流下限値より小さいとき、充電電流値に従って充電パスのインピーダンスを下方に調整するステップと、をさらに含むことが留意されるべきである。
【０１０２】
前述から、本発明の技術的解決策は充電回路、端末、及び充電システムを提供することが習得できる。充電回路は充電器、端末負荷、及びバッテリに別個に接続される。充電回路は第１の調整回路、電流検出回路、電圧検出回路、及び制御回路を含む。第１の調整回路の第１の端部が充電器に接続され、第１の調整回路の第２の端部がバッテリの正の電極に接続され、第１の調整回路の第２の端部は端末負荷にさらに接続され、第１の調整回路の第３の端部が制御回路に接続される。バッテリの負の電極が充電器に接続される。電流検出回路は、第１の調整回路の第２の端部とバッテリの正の電極との間に直列に接続され、或いはバッテリの負の電極と充電器との間に直列に接続される。電圧検出回路の検出端部が、バッテリの正及び負の電極に並列に接続される。電圧検出回路の出力端部が制御回路に接続される。電圧検出回路は、バッテリの２つの端部で電圧を検出してバッテリの電圧値を取得し、バッテリの電圧値を制御回路に送信するように構成される。電流検出回路は、充電回路の電流を検出して充電回路の電流値を取得し、電流値を第１の調整回路に送信するように構成される。制御回路は、バッテリの電圧値に従って充電モードを決定し、充電モードに従って電流上限値を決定するように構成される。第１の調整回路は、電流値及び電流上限値を取得するように構成され、電流値を電流上限値と比較して電流値が電流上限値より大きいかどうかを決定し、電流値が電流上限値より大きいとき、電流値に従って第１の調整回路のインピーダンスを上方に調整するようにさらに構成される。本発明で提供される充電回路は、充電電流が突然増加したとき、過度に高い充電電流に起因した充電回路及びバッテリへの損傷を防止するために、充電電流を調整できる。さらに、充電器が出力電流を下方に調整した後、充電電流が減少する。この場合、充電回路内の調整回路のインピーダンスは、充電効率を確保するために、充電電流を増加させるように下方に調整されてもよい。
【図面の簡単な説明】
【０１０３】
本発明の実施例における技術的解決策をより明確に説明するために、本発明の実施例を説明するために必要な添付図面を以下で簡潔に説明する。明らかに、以下の説明における添付図面は本発明のいくつかの実施例を示すに過ぎず、当業者は創作的取り組みなしにこれら添付図面から他の図面を依然として導き出し得る。
【図１】従来技術における電子デバイス充電制御装置である。
【図２】本発明の実施例による充電システムの概略図である。
【図３】本発明の実施例による充電回路の概略図である。
【図４】本発明の別の実施例による充電回路の概略図である。
【図５】本発明の別の実施例による充電回路の概略図である。
【図６】本発明の別の実施例による充電回路の概略図である。
【図７】本発明の別の実施例による充電回路の概略図である。
【図８】本発明の別の実施例による充電回路の概略図である。
【図９】本発明の別の実施例によるＭＯＳトランジスタの導電インピーダンスと駆動電圧との間の関係の線グラフである。
【図１０】本発明の別の実施例による充電方法を示す。
【発明を実施するための形態】
【０１０４】
本発明の実施例の目的、技術的解決策、及び利点をより明確にするために、本発明の実施例における添付図面を参照して本発明の実施例の技術的解決策を以下で説明する。
【０１０５】
科学及び技術の発展により、端末（例えば、スマートフォン、ウェアラブルデバイス、及びタブレットコンピュータのような電子デバイス）の機能はより強化してきており、ユーザは端末を使用することによりオフィスワーク及びエンターテインメントを実行でき、それにより、端末は人々の日常生活において不可欠な部分になっている。しかしながら、端末の持続能力は限られており、ユーザは端末を絶えず充電する必要がある。
【０１０６】
ユーザが端末を適切に使用できることを確保するために、高速技術が充電の好ましい解決策になる。
【０１０７】
現在、一般的な高速充電技術は２つのタイプ、すなわち、低電圧高電流高速充電技術と高電圧低電流高速充電技術とに主に分類され得る。低電圧高電流高速充電及び高電圧低電流高速充電の双方について、端末の充電回路内の電流が、バッテリに入力されるとき、より高い充電電流（これは、バッテリが耐えられる最大安全充電電流又はバッテリ寿命を損なわない安全充電電流を超えることはできない）に変換され得る。この場合、高電流充電がバッテリに対して実行されるときに高速充電の充電安全性を確保する方法が特に重要になる。
【０１０８】
図１に示されるように、電子デバイス充電制御装置が従来技術において提供されている。電子デバイス充電制御装置により電子デバイス内のバッテリを充電するプロセスにおいて、電源アダプタは先ず、定電圧出力を用いてバッテリを充電する。充電制御モジュールにより送信された高速充電命令コマンドを受信した後、電源アダプタは、充電制御モジュールによりフィードバックされたバッテリ電圧に従って出力電圧を調整し、出力電圧が充電制御モジュールにより予め設定された高速充電電圧条件を満たすとき高速充電電流値及び高速充電電圧値に従って出力電流及び出力電圧を調整して、バッテリに対する高速充電を実行する。さらに、充電制御モジュールは、電源アダプタから直流を導入してバッテリを充電する。高速充電プロセスにおいて、電源アダプタは、電源アダプタの出力電圧とバッテリ電圧とに従ってリアルタイムで出力電流をさらに調整し、それにより、バッテリの高速充電が、電源アダプタの出力電流及び出力電圧を調整することにより実現される。
【０１０９】
前述から、技術的解決策において、電源アダプタは電子デバイス内の充電制御モジュールから充電電流及び充電電圧のフィードバック情報をリアルタイム通信方式で取得し、電源アダプタにおいてリアルタイム調整を実行することが習得できる。技術的解決策は、充電プロセスにおいてリアルタイム調整に対する要件が比較的低いシナリオに適用可能である。リアルタイム調整に対する要件が比較的高い充電シナリオにおいて、端末負荷により要求される電流が突然減少し、電源アダプタの出力調整が適時に実行されない場合、バッテリに流れる充電電流は突然増加する。これは、電子デバイス内の充電回路及び充電バッテリに対する潜在的な安全性の脅威を容易に引き起こす。
【０１１０】
図２に示されるように、図１は本発明の実施例による充電システムである。本発明で提供される充電システムを用いて、充電電流が突然増加したとき、過度に高い充電電流に起因した充電回路及びバッテリへの損傷を防止するために、充電電流が調整できる。
【０１１１】
具体的に、充電システムは、端末、充電器、及び接続ケーブルを含む。端末は、接続ケーブルを使用することにより充電器に接続される。
【０１１２】
端末は、スマートフォン、タブレットコンピュータ、インテリジェントウェアラブルデバイス、又はコンピュータのような電子デバイスでもよい。
【０１１３】
図２に示されるように、端末は、端末の端末負荷、バッテリ、及び充電回路を含む。
【０１１４】
充電回路は、充電器、端末負荷、及びバッテリに別個に接続される。
【０１１５】
充電回路は、バッテリの２つの端部で電圧を検出してバッテリの電圧値を取得し、バッテリの電圧値に従って充電モードを決定し、充電モードに従って電流上限値を決定するように構成され、充電回路の電流を検出して充電回路の電流値を取得し、電流値が電流上限値より大きいかどうかを決定し、電流値が電流上限値より大きいとき、電流値に従って調整回路のインピーダンスを上方に調整するようにさらに構成されることが留意されるべきである。
【０１１６】
さらに、充電回路は、充電モードに従って電流下限値を決定し、電流値が電流下限値より小さいかどうかを決定し、電流値が電流下限値より小さいとき、電流値に従って調整回路のインピーダンスを下方に調整するようにさらに構成される。
【０１１７】
前述から、本発明で提供される充電回路を用いて、端末負荷により消費される電流が減少し且つ電源アダプタからの出力電流が適時に調整できないため充電中に充電電流が突然増加するシナリオにおいて、過度に高い充電電流に起因したバッテリ又は充電回路への損傷を防止し、さらに充電安全性を確保するために、充電回路のインピーダンスが充電電流を減少させるように充電プロセスにおいて調整できることが習得できる。さらに、充電器が出力電流を下方に調整した後、充電電流が減少する。この場合、充電回路内の調整回路のインピーダンスは、充電効率を確保するために、充電電流を増加させるように下方に調整されてもよい。
【０１１８】
図３に示されるように、図３は充電回路の具体的な実現方式を示す。充電回路１０は、充電器、端末負荷、及びバッテリに別個に接続され、それにより、充電回路を使用することによりバッテリを充電するとき、充電器は電力を端末負荷にさらに供給できる。
【０１１９】
具体的に、充電回路１０は、第１の調整回路１１０、電流検出回路１２０、電圧検出回路１３０、及び制御回路１４０を含む。
【０１２０】
図３に示されるように、第１の調整回路１１０は充電器の正の電極に接続され、第１の調整回路１１０の第２の端部が電流検出回路１２０の第１の端部に接続され、第１の調整回路１１０の第２の端部が端末負荷にさらに接続され、第１の調整回路１１０の第３の端部が制御回路１４０に接続される。
【０１２１】
第１の調整回路はＭＯＳトランジスタ（すなわち、金属絶縁体トランジスタ（metal  insulator  transistor）とも呼ばれ得る金属酸化物半導体電界効果トランジスタ（metal  oxide  semiconductor  field  effect  transistor））でもよいことが留意されるべきである。ＭＯＳトランジスタは３つのポートを有することが理解され得る。３つのポートは、それぞれ、Ｇ電極、Ｓ電極、及びＤ電極である。
【０１２２】
第１の端部はＳ電極でもよく、第２の端部はＤ電極でもよく、第３の端部はＧ電極でもよい。
【０１２３】
代替的に、第１の端部はＤ電極でもよく、第２の端部はＰ電極でもよく、第３の端部はＧ電極でもよい。具体的に、第１の調整回路は、Ｇ及びＳ端部で駆動電圧を調整することにより第１の調整回路のインピーダンスを調整してもよい。
【０１２４】
電流検出回路１２０の第２の端部がバッテリの正の電極に接続され、バッテリの負の電極が充電器に接続される。代替的に、電流検出回路１２０はバッテリの負の電極と充電器との間に直列に接続され、電圧検出回路１３０の検出端部はバッテリの正及び負の電極に並列に接続される。
【０１２５】
電圧検出回路１３０の１つの端部がバッテリの正の電極に接続され、別の端部がバッテリの負の電極に接続されることが理解され得る。電圧検出回路１３０の出力端部が制御回路１４０にさらに接続される。接続方式に従って、電圧検出回路１３０は、バッテリの２つの端部で電圧を検出してバッテリの電圧値を取得し、バッテリの電圧値を制御回路１４０に送信するように構成されることが理解され得る。
【０１２６】
電流検出回路１２０は、充電回路の電流を検出して充電回路の電流値を取得し、電流値を第１の調整回路１１０に送信するように構成される。
【０１２７】
制御回路１４０は、バッテリの電圧値に従って充電モードを決定し、充電モードに従って電流上限値を決定するように構成される。
【０１２８】
例えば、制御回路１４０は、バッテリの電圧値に従って以下の表を検索して充電モードを決定する。
【表１】
2019530412.tif 000003
【０１２９】
さらに、制御回路１４０は、充電モードに従って以下の表を検索して電流上限値を決定する。
【表２】
2019530412.tif 000004
【０１３０】
第１の調整回路１１０は、電流値及び電流上限値を取得するように構成され、電流値が電流上限値より大きいかどうかを決定し、電流値が電流上限値より大きいとき、電流値に従って第１の調整回路のインピーダンスを上方に調整するようにさらに構成される。
【０１３１】
第１の調整回路１１０のインピーダンスを上方に調整することの目的は充電電流を減少させることであり、すなわち、より大きい電流値は第１の調整回路のより高い調整されたインピーダンスを示すことが留意されるべきである。しかしながら、第１の調整回路のインピーダンスは、デフォルトの最大値又は手動で指定された最大値を通常有する。調整回路のインピーダンスが最大値に調整され、充電電流が依然として電流上限値より大きいとき、第１の調整回路は切断され、アラームを制御回路１４０に送信し、それにより、制御回路は、再充電の試行のために関連する充電パラメータ（例えば、充電器の出力電圧又は充電器の出力電流）を再構成する。
【０１３２】
さらに、充電電流が電流上限値より大きいとき、相互作用が充電器との間で実行される必要があり、それにより、充電器は出力電流又は出力電力又は出力電圧を下方に調整することが留意されるべきである。
【０１３３】
具体的に、電流検出回路１２０は制御回路１４０にさらに接続される。
【０１３４】
電流検出回路１２０は、電流値を制御回路１４０に送信するようにさらに構成される。
【０１３５】
制御回路１４０は、電流値が電流上限値より大きいかどうかを決定し、電流値が電流上限値より大きいとき、調整命令を充電器に送信するように構成され、それにより、充電器は、出力電力、出力電流、又は出力電圧を下方に調整する。
【０１３６】
さらに、充電器が出力電流、出力電圧、又は出力電力を下方に調整したとき、充電回路の電流が減少することが留意されるべきである。減少した電流の電流値が電流下限値より小さい場合、充電効率を確保するために、第１の調整回路１１０のインピーダンスは、充電電流を増加させるように下方に調整される必要がある。
【０１３７】
具体的に、制御回路１４０は、充電モードに従って電流下限値を決定するようにさらに構成される。第１の調整回路１１０は、電流下限値を取得し、電流値が電流下限値より小さいかどうかを決定し、電流値が電流下限値より小さいとき、電流値に従って第１の調整回路のインピーダンスを下方に調整するようにさらに構成される。
【０１３８】
第１の調整回路のインピーダンスが現在比較的高い場合、充電器の出力電流は、制御回路が充電器と相互作用した後に減少することが留意されるべきである。この場合、充電回路の充電電流は減少し、充電効率が影響を受ける。バッテリの充電効率を確保するために、第１の調整回路のインピーダンスは、充電電流を増加させるように下方に調整される必要がある。
【０１３９】
図３に示される充電回路に基づき、過電圧又は過電流を防止するために、充電回路１０は保護回路１５０をさらに含む。
【０１４０】
図４に示されるように、保護回路１５０は充電器と第１の調整回路１１０の第１の端部との間に直列に接続される。制御回路１４０は保護回路１５０にさらに接続される。
【０１４１】
制御回路１４０は、充電モードに従って保護トリガ条件を決定し、保護トリガ条件を保護回路１５０に送信するようにさらに構成される。
【０１４２】
例えば、制御回路１４０は、充電モードに従って以下の表を検索して保護トリガ条件を決定してもよい。
【表３】
2019530412.tif 000005
【０１４３】
保護回路１５０は、充電器の出力電流を検出して出力電流値を決定し、出力電流値が保護トリガ条件を満たすかどうかを決定し、出力電流値が保護トリガ条件を満たすとき、スイッチを開いて充電を中断するように構成される。
【０１４４】
前述から、保護トリガ条件は電流保護トリガ条件及び電圧保護トリガ条件を含むことが習得できる。すなわち、保護回路１５０は、出力電流値が電流保護トリガ条件（過電流保護閾値）より大きいかどうかを決定し、出力電流値が電流保護トリガ条件より大きいとき、スイッチを開いて充電を中断するように具体的に構成される。
【０１４５】
保護回路１５０は、バッテリの電圧が過電圧であるかどうかを検出し、充電器の出力電圧が過電圧であるかどうかを検出し得ることが理解され得る。ゆえに、電圧保護トリガ条件はバッテリ電圧保護トリガ条件及び充電器電圧トリガ保護条件を含む。具体的に、バッテリの電圧はバッテリ電圧保護トリガ条件に対応し、充電器の出力電圧は充電器電圧保護トリガ条件に対応する。
【０１４６】
さらに、保護回路１５０は、バッテリの電圧値を取得するために、電圧検出回路１３０にさらに接続される。
【０１４７】
保護回路１５０は、充電器の出力電圧を検出して出力電圧値を決定し、出力電圧値がバッテリ電圧保護トリガ条件（過電圧保護閾値）より大きいかどうかを決定し、バッテリの電圧値がバッテリ電圧保護トリガ条件より大きいとき、スイッチを開いて充電を中断するようにさらに構成される。
【０１４８】
さらに、保護回路は、充電器の出力電圧を取得して出力電圧値を取得し、出力電圧値が充電器電圧保護トリガ条件より大きいかどうかを決定し、出力電圧値が充電器電圧保護トリガ条件より大きいとき、スイッチを開いて充電を中断するようにさらに構成される。
【０１４９】
図４に示されるように、充電回路１０は通信回路１６０をさらに含む。
【０１５０】
通信回路１６０は制御回路１４０に接続される。
【０１５１】
制御回路１４０は、充電モードを通信回路１６０に送信するようにさらに構成される。
【０１５２】
通信回路１６０は、充電モードを充電器に送信するように構成され、それにより、充電器は、充電モードに従って充電を実行する。
【０１５３】
通信回路は、接続ケーブルを使用することにより充電器に接続されてもよく、或いは無線方式で充電器と相互作用して情報転送を実行してもよいことが留意されるべきである。
【０１５４】
図４に示されるように、充電電流をより正確に調整するために、充電回路は第２の調整回路１７０をさらに含む。第２の調整回路は、ＭＯＳトランジスタでもよく、或いはすべり抵抗器（slide  rheostat）でもよい。
【０１５５】
第２の調整回路１７０は第１の調整回路の第２の端部と電流検出回路１２０との間に直列に接続される。代替的に、第２の調整回路１７０はバッテリの正の電極と電流検出回路１２０との間に直列に接続されてもよい。
【０１５６】
第２の調整回路１７０は制御回路１４０にさらに接続される。
【０１５７】
制御回路１４０は、充電モードに従って第２の調整回路１４０の調整閾値を決定するようにさらに構成される。
【０１５８】
第２の調整回路１４０は、電流値と第２の調整回路の調整閾値とに従って第２の調整回路のインピーダンスを調整するように構成される。
【０１５９】
具体的に、第２の調整回路１４０の調整閾値は上側閾値及び下側閾値をさらに含むことが留意されるべきである。電流値が上側閾値より大きいとき、第２の調整回路１７０のインピーダンスは充電電流を減少させるように上方に調整され、或いは電流値が下側閾値より小さいとき、第２の調整回路のインピーダンスは充電電流を増加させるように下方に調整されることが理解され得る。
【０１６０】
図４に示されるように、端末負荷により要求される電流が突然減少することを防止するために、充電回路１０は第３の調整回路１８０及び電流監視回路１９０をさらに含む。
【０１６１】
第３の調整回路１８０及び電流監視回路１９０は、第１の調整回路１１０と端末負荷との間に直列に接続される。
【０１６２】
電流監視回路１９０は、端末負荷の電流の減少幅（decrease  amplitude）を監視し、減少幅が予め設定された閾値を超えたとき、調整命令を第３の調整回路１８０に送信するように構成される。
【０１６３】
第３の調整回路１８０は、調整命令に従って第３の調整回路のインピーダンスを上方に調整するように構成される。
【０１６４】
さらに、端末負荷により消費される電力が減少するため、第３の調整回路１８０は、充電回路の充電電流が過度に高くなることを防止するために、電流シャント（current  shunting）を実行する必要があることが留意されるべきである。端末負荷により消費される電力が減少したことを監視したとき、端末は充電器に、出力電力又は出力電流を減少させるように命令する。端末から命令を受信した後、充電器は出力電力又は出力電流を減少させる。この調整機能は時間がかかる。調整が完了した後、端末の負荷電流が減少する。この場合、第３の調整ユニットが、インピーダンスを減少させ、或いはインピーダンスを、インピーダンスが上方に調整される前の状態に戻す。
【０１６５】
具体的に、第３の調整回路１８０は、予め設定された期間の後、第３の調整回路１８０のインピーダンスを、インピーダンスが上方に調整される前の状態に戻すようにさらに構成される。
【０１６６】
予め設定された期間は充電器の電流調整期間より大きいことが留意されるべきである。
【０１６７】
端末負荷により要求される電流が減少した後、充電回路の電流が増加する。この場合、制御回路は、出力電流を減少させるための命令を充電器に送信する。命令を受信した後、充電器は電流調整期間を有し、すなわち、充電器は電流調整期間内に電流をターゲット値に調整する。
【０１６８】
要するに、図３及び図４を参照し、端末負荷により消費される電力又は電流が突然減少することを防止し、充電器が適時に出力電力又は電流を減少できないことに起因した過度に高い充電電流を防止するために、本発明は充電回路を提供することが習得され得る。充電回路は、過度に高い充電電流に起因した充電回路又はバッテリへの損傷を防止するために、適時に電流シャントを実行できる調整回路を含む。さらに、充電器が出力電流を下方に調整した後、充電電流は減少する。この場合、充電回路内の調整回路のインピーダンスは、充電効率を確保するために、充電電流を増加させるように下方に調整されてもよい。
【０１６９】
図５に示されるように、図５は充電回路の具体的な実現方式を示す。充電回路２０は、充電器、端末負荷、及びバッテリに別個に接続される。充電回路２０は、第１の調整回路２１０、電流検出回路２２０、電圧検出回路２３０、及び制御回路２４０を含む。
【０１７０】
図３に示される充電回路と異なり、充電回路２０内の第１の調整回路２１０は充電分岐回路において配置される。
【０１７１】
具体的に、第１の調整回路２１０の第１の端部が充電器に接続され、第１の調整回路２１０の第１の端部は端末負荷にさらに接続され、第１の調整回路２１０の第２の端部が電流検出回路２２０の第１の端部に接続され、第１の調整回路２１０の第３の端部が制御回路２４０に接続される。
【０１７２】
第１の調整回路はＭＯＳトランジスタでもよい。
【０１７３】
第１の調整回路２１０の第１の端部は充電器の正の電極に接続されることが理解され得る。
【０１７４】
電流検出回路２２０の第２の端部がバッテリの正の電極に接続される。代替的に、電流検出回路はバッテリの負の電極と充電器との間に直列に接続されてもよい。
【０１７５】
バッテリの負の電極は充電器に接続される。バッテリの負の電極は充電器の負の電極に接続されることが理解され得る。
【０１７６】
電圧検出回路２３０の検出端部がバッテリの正及び負の電極に並列に接続され、電圧検出回路２３０の出力端部が制御回路２４０にさらに接続される。
【０１７７】
電圧検出回路２３０は、バッテリの２つの端部で電圧を検出してバッテリの電圧値を取得し、バッテリの電圧値を制御回路２４０に送信するように構成される。
【０１７８】
電流検出回路２２０は、充電回路の電流を検出して充電回路の電流値を取得し、電流値を第１の調整回路２１０に送信するように構成される。
【０１７９】
制御回路２４０は、バッテリの電圧値に従って充電モードを決定し、充電モードに従って電流上限値を決定するように構成される。
【０１８０】
第１の調整回路２１０は、電流値及び電流上限値を取得するように構成され、電流値が電流上限値より大きいかどうかを決定し、電流値が電流上限値より大きいとき、電流値に従って第１の調整回路のインピーダンスを上方に調整するようにさらに構成される。
【０１８１】
さらに、電流検出回路２１０は制御回路２４０にさらに接続されることが留意されるべきである。
【０１８２】
電流検出回路２１０は、電流値を制御回路２４０に送信するようにさらに構成される。
【０１８３】
制御回路２４０は、電流値が電流上限値より大きいかどうかを決定し、電流値が電流上限値より大きいとき、調整命令を充電器に送信するように構成され、それにより、充電器は、出力電力、出力電流、又は出力電圧を下方に調整する。
【０１８４】
さらに、制御回路２４０が充電器と相互作用した後、充電器は出力電流を下方に調整することが留意されるべきである。この場合、充電電流が減少する。充電効率を確保するために、第１の調整回路２１０のインピーダンスは下方に調整される必要がある。詳細は以下のとおりである。
【０１８５】
制御回路２４０は、充電モードに従って電流下限値を決定するようにさらに構成される。
【０１８６】
第１の調整回路２１０は、電流下限値を取得し、電流値が電流下限値より小さいかどうかを決定し、電流値が電流下限値より小さいとき、電流値に従って調整回路のインピーダンスを下方に調整するように構成される。
【０１８７】
図５に基づき、図６に示される充電回路２０は保護回路２５０をさらに含む。保護回路２５０は、過電圧又は過電流を防止するように構成されてもよい。
【０１８８】
具体的に、保護回路２５０は充電器と第１の調整回路２１０との間に直列に接続される。
【０１８９】
制御回路２４０は保護回路２５０にさらに接続される。
【０１９０】
制御回路２４０は、充電モードに従って保護トリガ条件を決定し、保護トリガ条件を保護回路２５０に送信するようにさらに構成される。
【０１９１】
保護回路２５０は、充電器の出力電流を検出して出力電流値を決定し、出力電流値が保護トリガ条件を満たすかどうかを決定し、出力電流値が保護トリガ条件を満たすとき、スイッチを開いて充電を中断するように構成される。
【０１９２】
保護トリガ条件は電流トリガ保護条件及び電圧トリガ保護条件の双方を含むことが理解され得る。
【０１９３】
具体的に、保護回路２５０は、充電器の出力電流を検出して出力電流値を決定し、出力電流値が電流保護トリガ条件より大きいかどうかを決定し、出力電流値が電流保護トリガ条件より大きいとき、スイッチを開いて充電を中断するように構成される。
【０１９４】
保護回路２５０は、バッテリの電圧が過電圧であるかどうかを検出し、充電器の出力電圧が過電圧であるかどうかを検出し得ることが理解され得る。ゆえに、電圧保護トリガ条件はバッテリ電圧保護トリガ条件及び充電器電圧トリガ保護条件を含む。具体的に、バッテリの電圧はバッテリ電圧保護トリガ条件に対応し、充電器の出力電圧は充電器電圧保護トリガ条件に対応する。保護回路２５０は、バッテリの電圧値を取得するために、電圧検出回路２３０にさらに接続されることが留意されるべきである。
【０１９５】
保護回路２５０は、バッテリの電圧値が電圧保護トリガ条件より大きいかどうかを決定し、バッテリの電圧値が電圧保護トリガ条件より大きいとき、スイッチを開いて充電を中断するようにさらに構成される。
【０１９６】
さらに、保護回路２５０は、充電器の出力電圧を検出して出力電圧値を取得し、出力電圧値が充電器電圧保護トリガ条件より大きいかどうかを決定し、出力電圧値が充電器電圧保護トリガ条件より大きいとき、スイッチを開いて充電を中断するようにさらに構成される。
【０１９７】
図６に示されるように、充電回路２０は通信回路２６０をさらに含む。具体的に、通信回路２６０は制御回路２４０に接続される。制御回路２４０は、出力電力、出力電圧、又は出力電流を調整するように充電器を制御するために、充電器と相互作用する必要がある。
【０１９８】
詳細は以下のとおりである。
【０１９９】
制御回路２４０は、充電モードを通信回路２６０に送信するようにさらに構成される。
【０２００】
通信回路２６０は、充電モードを充電器に送信するように構成され、それにより、充電器は、充電モードに従って充電を実行する。
【０２０１】
通信回路２６０は、情報転送を実行するために接続ケーブルを使用することにより充電器に接続されてもよいことが留意されるべきである。代替的に、通信回路は無線方式で充電器と相互作用してもよい。
【０２０２】
図６に示されるように、充電回路２０は第２の調整回路２７０及び電流監視回路２８０をさらに含む。
【０２０３】
第２の調整回路２７０及び電流監視回路２８０は、第１の調整回路２１０の第１の端部と端末負荷との間に直列に接続される。
【０２０４】
電流監視回路２８０は、端末負荷の電流の減少幅を監視し、減少幅が予め設定された閾値を超えたとき、調整命令を第２の調整回路に送信するように構成される。
【０２０５】
第２の調整回路２７０は、調整命令に従って第２の調整回路のインピーダンスを上方に調整するように構成される。
【０２０６】
さらに、第２の調整回路２７０は、予め設定された期間の後、第２の調整回路２７０のインピーダンスを、インピーダンスが上方に調整される前の状態に戻すようにさらに構成されることが留意されるべきである。
【０２０７】
図７に示されるように、図７は別の具体的な充電回路３０を提供する。充電回路３０は、充電器、端末負荷、及びバッテリに別個に接続される。充電回路３０は、調整回路３１０、電流監視回路３２０、電流検出回路３３０、電圧検出回路３４０、制御回路３５０、保護回路３６０、及び通信回路３７０を含む。
【０２０８】
調整回路３１０の第１の端部が充電器に接続され、調整回路３１０の第２の端部が電流監視回路３２０の第１の端部に接続され、電流監視回路３２０の第２の端部が端末負荷に接続される。
【０２０９】
充電器の正の電極がバッテリの正の電極に接続され、充電器の負の電極がバッテリの負の電極に接続される。
【０２１０】
電流監視回路３２０は、端末負荷の電流の減少幅を監視し、減少幅が予め設定された閾値を超えたとき、調整命令を調整回路３１０に送信するように構成される。
【０２１１】
調整回路３２０は、調整命令に従って調整回路のインピーダンスを上方に調整するように構成される。
【０２１２】
さらに、調整回路３２０は、調整回路のインピーダンスが上方に調整されるための予め設定された期間の後、調整回路３２０のインピーダンスを、インピーダンスが上方に調整される前の状態に戻すようにさらに構成されることが留意されるべきである。
【０２１３】
保護回路３６０及び電流検出回路３３０は、充電器とバッテリとの間に直列に接続される。
【０２１４】
電圧検出回路３４０は、バッテリの２つの端部に並列に接続される。
【０２１５】
制御回路３５０は電流検出回路３３０に接続され、電圧検出回路３４０にさらに接続され、保護回路３６０にさらに接続される。
【０２１６】
電圧検出回路３４０は、バッテリの２つの端部で電圧を検出してバッテリの電圧値を取得し、バッテリの電圧値を制御回路３５０に送信するように構成される。
【０２１７】
電流検出回路３３０は、充電回路の電流を検出して充電回路の電流値を取得するように構成される。
【０２１８】
制御回路３５０は、バッテリの電圧値に従って充電モードを決定するように構成される。
【０２１９】
制御回路３５０は、電流値が電流上限値より大きいとき、通信回路３７０を使用することにより、出力電圧又は出力電力を下方に調整するための命令を充電器に送信するようにさらに構成される。
【０２２０】
制御回路３５０は、電流値が電流下限値より小さいとき、通信回路３７０を使用することにより、出力電圧又は出力電力を上方に調整するための命令を充電器に送信するようにさらに構成される。
【０２２１】
保護回路３６０は、充電器の出力電流を検出して出力電流値を決定し、出力電流値が保護トリガ条件を満たすかどうかを決定し、出力電流値が保護トリガ条件を満たすとき、スイッチを開いて充電を中断するように構成される。
【０２２２】
本発明の別の実施例において、図８に示されるように、具体的な充電回路が提供される。充電回路は、ＭＯＳトランジスタのドレイン・ソース・オン状態抵抗（drain-source  on-state  resistance）が駆動電圧と共に変化するという特徴を使用することにより充電電流を調整する。ＭＯＳトランジスタのドレイン・ソース・オン状態抵抗と駆動電圧との間の関係が図９に示される。
【０２２３】
具体的に、駆動電圧がスイッチオン電圧に到達したとき、ＭＯＳトランジスタはオンに切り替えられ、導電インピーダンス（conductive  impedance）が最大である。ｖｇｓ電圧（駆動電圧）が増加するとき、導電インピーダンスは徐々に減少する。
【０２２４】
駆動電圧がＶｔｈより低いとき、ＭＯＳトランジスタはオフに切り替えられ、充電は終了する。
【０２２５】
原理に基づき、ＭＯＳトランジスタは、充電プロセスにおいて調整及び保護を実現するために、スイッチングチューブ及び調整コンポーネントとして使用されてもよい。
【０２２６】
図８に示される充電回路は、保護回路、調整回路、第１の電流検出回路、第２の電流検出回路、電圧検出回路、通信回路、及び制御回路を含む。
【０２２７】
保護回路は、抵抗器Ｒ１及びＲ２並びに比較器ＣＭＰ１及びＣＭＰ２を含む。
【０２２８】
具体的に、Ｒ１及びＲ２は電圧分割ネットワークを形成し、入力電圧を検出する。ＣＭＰ１は、検出された電圧を入力過電圧閾値と比較して、検出された電圧が入力過電圧であるかどうかを決定する。
【０２２９】
第１の電流検出回路は、保護回路及び調整回路を通過する電流を検出するように構成され、具体的に、抵抗器又は増幅回路でもよい。代替的に、検出された電流値は、ＭＯＳトランジスタの２つの端部間の電圧降下をＭＯＳトランジスタのドレイン・ソース・オン状態抵抗値で除算することにより取得されてもよい。検出された電流値は、過電流が発生しているかどうかを決定するために、ＣＭＰ２の比較回路において過電流閾値と比較される。
【０２３０】
電圧検出回路は抵抗器Ｒ３及びＲ４を含む。
【０２３１】
Ｒ３及びＲ４は電圧分割ネットワークを形成し、バッテリの電圧を検出してバッテリの電圧値を取得し、バッテリの電圧を制御回路に提供する。制御回路は、バッテリの電圧値に従って保護回路の保護閾値及び調整回路の調整閾値を決定するように構成される。
【０２３２】
第２の電流検出回路は抵抗器Ｒ５及び増幅回路ＯＰ１を含む。
【０２３３】
具体的に、Ｒ５及びＯＰ１は充電電流サンプリング及び増幅回路を形成する。ＯＰ１は、同相増幅回路、逆相増幅回路、又は差動増幅回路のうちの１つでもよい。
【０２３４】
第２の電流検出回路は、充電電流を検出するように構成される。
【０２３５】
調整回路は２つのＭＯＳトランジスタ（Ｑ１及びＱ２）、駆動回路、及び制御論理回路を含む。調整回路は、電流調整機能が１つのＭＯＳトランジスタを使用することにより達成されることもできるため、１つのＭＯＳトランジスタを代替的に含んでもよいことが留意されるべきである。
【０２３６】
制御論理回路は、充電電流を充電電流調整閾値の指定された下限値と比較する。充電電流が充電電流調整閾値の下限値より低い場合、制御論理回路はＭＯＳトランジスタの駆動電圧を徐々に増加させる。ＭＯＳトランジスタの導電インピーダンスは、充電電流を増加させるために、ＭＯＳトランジスタの導電インピーダンスが下限値に到達するまで徐々に減少する。
【０２３７】
制御論理回路は、充電電流を充電電流調整閾値の指定された上限値と比較する。充電電流が充電電流調整閾値の上限値より高い場合、制御論理回路はＭＯＳトランジスタの駆動電圧を減少させる。ＭＯＳトランジスタの導電インピーダンスは、充電電流を減少させるために、徐々に増加する。
【０２３８】
駆動回路はＤＣ／ＤＣ変換回路を含み、Ｑ１及びＱ２の導電インピーダンスを制御するために、制御論理回路の命令に従って電圧をＱ１及びＱ２に別個に出力する。
【０２３９】
Ｑ１及びＱ２はバッテリに直列に接続される。２つのＭＯＳトランジスタＱ１及びＱ２は充電パスの閉及び開を制御する。
【０２４０】
図８に示される充電回路は、以下のステップに従うことにより充電回路を調整してもよい。
【０２４１】
ステップ１：電圧検出回路がバッテリの電圧を検出してバッテリの電圧値を取得し、バッテリの電圧値を制御回路に送信する。
【０２４２】
ステップ２：第２の電流検出回路が充電電流を検出して充電電流値を取得し、充電電流値を制御回路に送信する。
【０２４３】
ステップ３：制御回路がバッテリの電圧値に従って充電モードを選択し、制御回路は選択された充電モードに従って保護回路の電流保護閾値及び電圧保護閾値をさらに構成してもよく、制御回路は選択された充電モードに従って調整回路の調整閾値範囲をさらに構成してもよい。
【０２４４】
ステップ４：ＣＭＰ１及びＣＭＰ２の比較回路が、過電流又は過電圧が発生しているかどうかを決定し、過電流又は過電圧が発生している場合、制御論理がスイッチオフコマンドを送信し、Ｑ１又はＱ２がオフに切り替えられる。
【０２４５】
ステップ５：制御論理回路が、充電電流を指定された充電電流調整閾値の上限及び下限と比較し、充電電流が充電電流調整の下限より低い場合、制御論理回路はＭＯＳトランジスタの駆動電圧を徐々に増加させ、それにより、ＭＯＳトランジスタの導電インピーダンスが、充電電流を増加させるために、ＭＯＳトランジスタの導電インピーダンスが下限値に到達するまで徐々に減少し、或いは充電電流が充電電流調整の上限より高い場合、制御論理回路はＭＯＳトランジスタの駆動電圧を減少させ、それにより、ＭＯＳトランジスタの導電インピーダンスが、充電電流を減少させるために、徐々に増加する。
【０２４６】
ステップ６：制御回路が、充電器の出力電圧を調整するための且つ調整回路により送信される要求を受信し、要求に従って充電電力調整命令を生成し、通信回路を使用することにより充電電力調整命令を外部の充電器にフィードバックする。
【０２４７】
ステップ７：外部の充電器が充電電力調整命令に従って出力電力を調整する。
【０２４８】
ステップ８：バッテリの端部における且つ検出回路により取得される電流値又は電圧値が充電カットオフ閾値に到達したとき、保護回路が開き、充電が終了する。
【０２４９】
本発明の実施例は充電方法をさらに提供する。方法は、バッテリの電圧を検出してバッテリの電圧値を取得するステップと、バッテリの電圧値に従って充電モードを選択するステップであり、一般的な充電モードが８Ａ充電、６Ａ充電、４Ａ充電などを含む、ステップと、充電モードに従って調整回路の電流上限値及び電流下限値を決定するステップと、充電電流値が電流上限値を超えたとき、バッテリ端部における充電電力を減少させるように調整回路のインピーダンスを上方に調整するステップと、次いで、制御回路に、充電器の出力電圧を下方に調整するように要求するステップと、充電器が出力電圧を下方に調整した後、調整回路の導電インピーダンスを最小まで徐々に調整するステップであり、バッテリの電圧値が充電電圧カットオフ閾値に到達し、充電電流が充電電流カットオフ閾値に到達したとき、保護回路が開き、充電が終了する、ステップと、を具体的に含む。
【０２５０】
図１０に示されるように、図１０は充電方法を提供する。方法は以下のステップを含む。
【０２５１】
４０１：充電電流を検出して充電電流値を取得する。
【０２５２】
４０２：バッテリの電圧を検出してバッテリの電圧値を取得する。
【０２５３】
４０３：バッテリの電圧値に一致する充電モードを決定する。
【０２５４】
４０４：充電モードに従って電流上限値を決定する。
【０２５５】
４０５：充電電流値が電流上限値より大きいとき、充電電流値に従って充電パスのインピーダンスを上方に調整する。
【０２５６】
４０６：出力電力を下方に調整するための命令を充電器に送信し、それにより、充電器は命令に従って出力電力を下方に調整する。
【０２５７】
４０７：充電器の出力電力が減少したことを検出したとき、充電回路のインピーダンスを下方に徐々に調整する。
【０２５８】
ゆえに、本発明で提供される充電方法を用いて、充電電流が突然増加したとき、過度に高い充電電流に起因した充電回路及びバッテリへの損傷を防止するために、充電電流が調整され得ることが習得され得る。さらに、充電器が出力電流を下方に調整した後、充電電流が減少する。この場合、充電回路内の調整回路のインピーダンスが、充電効率を確保するために、充電電流を増加させるように下方に調整されてもよい。
【０２５９】
当業者は、この明細書において開示された実施例内で説明された例と組み合わせて、ユニット及びアルゴリズムステップが電子ハードウェア又はコンピュータソフトウェアと電子ハードウェアとの組み合わせにより実現され得ることを認識し得る。機能がハードウェアにより実行されるか又はソフトウェアにより実行されるかは、技術的解決策の特定の用途及び設計制約条件に依存する。当業者は、説明された機能を各々の特定の用途に対して実現するために異なる方法を使用し得るが、実現方式は本発明の範囲を越えると見なされるべきでない。
【０２６０】
簡便及び簡潔な説明を目的として、前述のシステム、装置、及びユニットの詳細な作動プロセスについて、前述の方法の実施例における対応するプロセスに対し参照が行われてよく、詳細はここで再度説明されないことが当業者により明確に理解され得る。
【０２６１】
この出願で提供されるいくつかの実施例において、開示されたシステム、装置、及び方法は他の方式で実現されてもよいことが理解されるべきである。例えば、説明された装置の実施例は例に過ぎない。例えば、ユニット分割は論理的な機能分割に過ぎず、実際の実現方式において他の分割でもよい。例えば、複数のユニット又はコンポーネントが組み合わせられ、或いは別のシステムに統合されてもよく、或いは、幾つかの特徴が無視されてもよく、或いは実行されなくてもよい。さらに、表示又は議論された相互結合又は直接結合又は通信接続はいくつかのインターフェースを通じて実現されてもよい。装置又はユニット間の間接結合又は通信接続は電子的、機械的、又は他の形式で実現されてもよい。
【０２６２】
別個の部分として説明されたユニットは物理的に別個であっても或いはそうでなくてもよく、ユニットとして表示された部分は物理ユニットであっても或いはそうでなくてもよく、１つの場所に位置してもよく、或いは複数のネットワークユニットに分散されてもよい。ユニットの一部又は全部が、実施例の解決策の目的を達成するために実際の要件に従って選択されてもよい。
【０２６３】
さらに、本発明の実施例における機能ユニットが１つの処理ユニットに統合されてもよく、或いは、ユニットの各々が物理的に単独で存在してもよく、或いは、２つ以上のユニットが１つのユニットに統合される。
【０２６４】
前述の説明は本発明の具体的な実現方式に過ぎず、本発明の保護範囲を限定することは意図されない。本発明で開示される技術的範囲内で当業者により容易に理解されるいかなる変形又は置換も本発明の保護範囲内に入るものとする。ゆえに、本発明の保護範囲は特許請求の範囲の保護範囲に従うものとする。
【図１】
2019530412.tif 000006
【図２】
2019530412.tif 000007
【図３】
2019530412.tif 000008
【図４】
2019530412.tif 000009
【図５】
2019530412.tif 000010
【図６】
2019530412.tif 000011
【図７】
2019530412.tif 000012
【図８】
2019530412.tif 000013
【図９】
2019530412.tif 000014
【図１０】
2019530412.tif 000015
【手続補正書】
【提出日】平成31年4月19日(2019.4.19)
【手続補正１】
【補正対象書類名】明細書
【補正対象項目名】全文
【補正方法】変更
【補正の内容】
【発明の詳細な説明】
【技術分野】
【０００１】
本発明は充電技術に関し、詳細には充電回路、端末、及び充電システムに関する。
【背景技術】
【０００２】
科学及び技術の発展により、端末の機能はより強化しており、ユーザは端末を使用することによりオフィスワーク及びエンターテインメントを実行できる。ゆえに、端末は人々の日常生活において不可欠な部分になっている。しかしながら、端末の持続能力は限られており、ユーザは端末を絶えず充電する必要がある。ユーザが端末を適切に使用できることを確保するために、高速充電技術が充電の好ましい解決策になる。
【０００３】
現在、一般的な高速充電技術は２つのタイプ、すなわち、低電圧高電流高速充電技術と高電圧低電流高速充電技術とに主に分類され得る。低電圧高電流高速充電及び高電圧低電流高速充電の双方について、端末の充電回路内の電流が、バッテリに入力されるとき、より高い充電電流（これは、バッテリが耐えられる最大安全充電電流又はバッテリ寿命を損なわない安全充電電流を超えることはできない）に変換され得る。この場合、高電流充電がバッテリに対して実行されるときに高速充電の充電安全性を確保する方法が特に重要になる。
【０００４】
図１に示されるように、電子デバイス充電制御装置が従来技術において提供されている。電子デバイス充電制御装置により電子デバイス内のバッテリを充電するプロセスにおいて、電源アダプタは先ず、定電圧出力を用いてバッテリを充電する。充電制御モジュールにより送信された高速充電命令コマンドを受信した後、電源アダプタは、充電制御モジュールによりフィードバックされたバッテリ電圧に従って出力電圧を調整し、出力電圧が充電制御モジュールにより予め設定された高速充電電圧条件を満たすとき高速充電電流値及び高速充電電圧値に従って出力電流及び出力電圧を調整して、バッテリに対する高速充電を実行する。さらに、充電制御モジュールは、電源アダプタから直流を導入してバッテリを充電する。高速充電プロセスにおいて、電源アダプタは、電源アダプタの出力電圧とバッテリ電圧とに従ってリアルタイムで出力電流をさらに調整し、それにより、バッテリの高速充電が、電源アダプタの出力電流及び出力電圧を調整することにより実現される。
【０００５】
前述から、技術的解決策において、電源アダプタは電子デバイス内の充電制御モジュールから充電電流及び充電電圧のフィードバック情報をリアルタイム通信方式で取得し、電源アダプタにおいてリアルタイム調整を実行することが習得できる。技術的解決策は、充電プロセスにおいてリアルタイム調整に対する要件が比較的低いシナリオに適用可能である。リアルタイム調整に対する要件が比較的高い充電シナリオにおいて、端末負荷により要求される電流が突然減少し、電源アダプタの出力調整が適時に実行されない場合、バッテリに流れる充電電流は突然増加する。これは、電子デバイス内の充電回路及び充電バッテリに対する潜在的な安全性の脅威を容易に引き起こす。
【発明の概要】
【０００６】
本発明の実施例は、充電回路、端末、及び充電システムを提供し、それにより、端末負荷により消費される電流が減少し且つ電源アダプタからの出力電流が適時に調整できないため充電中に充電電流が突然増加するシナリオにおいて、充電電流は、過度に高い充電電流に起因したバッテリ又は充電回路への損傷を防止するように調整及び制御でき、それにより、充電安全性を確保する。
【０００７】
本発明の第１の態様が充電回路を提供する。充電回路は充電器、端末負荷、及びバッテリに別個に接続され、それにより、充電回路を使用することによりバッテリを充電するとき、充電器は電力を端末負荷にさらに供給できる。
【０００８】
具体的に、充電回路は第１の調整回路、電流検出回路、電圧検出回路、及び制御回路を含む。
【０００９】
第１の調整回路の第１の端部が充電器に接続され、第１の調整回路の第２の端部がバッテリの正の電極に接続され、第１の調整回路の第２の端部は端末負荷にさらに接続され、第１の調整回路の第３の端部が制御回路に接続される。
【００１０】
バッテリの負の電極が充電器に接続される。
【００１１】
電流検出回路は、第１の調整回路の第２の端部とバッテリの正の電極との間に直列に接続され、或いはバッテリの負の電極と充電器との間に直列に接続される。
【００１２】
電圧検出回路の検出端部が、バッテリの正及び負の電極に並列に接続され、電圧検出回路の出力端部が制御回路にさらに接続される。
【００１３】
電圧検出回路は、バッテリの２つの端部で電圧を検出してバッテリの電圧値を取得し、バッテリの電圧値を制御回路に送信するように構成される。
【００１４】
電流検出回路は、充電回路の電流を検出して充電回路の電流値を取得し、電流値を第１の調整回路に送信するように構成される。
【００１５】
制御回路は、バッテリの電圧値に従って充電モードを決定し、充電モードに従って電流上限値を決定するように構成される。
【００１６】
第１の調整回路は、電流値及び電流上限値を取得するように構成され、電流値を電流上限値と比較して電流値が電流上限値より大きいかどうかを決定し、電流値が電流上限値より大きいとき、電流値に従って第１の調整回路のインピーダンスを上方に調整するようにさらに構成される。
【００１７】
第１の調整回路のインピーダンスを上方に調整することの目的は充電電流を減少させることであり、すなわち、より大きい電流値は第１の調整回路のより高い調整されたインピーダンスを示すことが留意されるべきである。
【００１８】
さらに、電流検出回路は制御回路にさらに接続されることが留意されるべきである。
【００１９】
電流検出回路は、電流値を制御回路に送信するようにさらに構成される。
【００２０】
制御回路は、電流値が電流上限値より大きいかどうかを決定し、電流値が電流上限値より大きいとき、調整命令を充電器に送信するように構成され、それにより、充電器は出力電力、出力電流、又は出力電圧を下方に調整する。
【００２１】
第１の態様を参照し、制御回路は、充電モードに従って電流下限値を決定するようにさらに構成されることが留意されるべきである。第１の調整回路は、電流下限値を取得し、電流値を電流下限値と比較して電流値が電流下限値より小さいかどうかを決定し、電流値が電流下限値より小さいとき、電流値に従って第１の調整回路のインピーダンスを下方に調整するようにさらに構成される。
【００２２】
第１の調整回路のインピーダンスが現在比較的高い場合、充電器の出力電流は、制御回路が充電器と相互作用した後に減少することが留意されるべきである。この場合、充電回路の充電電流は減少し、充電効率が影響を受ける。バッテリの充電効率を確保するために、第１の調整回路のインピーダンスは、充電電流を増加させるように下方に調整される必要がある。
【００２３】
第１の態様を参照し、過電圧又は過電流を防止するために、充電回路は保護回路をさらに含む。保護回路は充電器と第１の調整回路の第１の端部との間に直列に接続される。制御回路は保護回路にさらに接続される。制御回路は、充電モードに従って保護トリガ条件を決定し、保護トリガ条件を保護回路に送信するようにさらに構成される。保護回路は、充電器の出力電流を検出して出力電流値を決定し、出力電流値が保護トリガ条件を満たすかどうかを決定し、出力電流値が保護トリガ条件を満たすとき、スイッチを開いて充電を中断するように構成される。
【００２４】
保護トリガ条件は電流保護トリガ条件及び電圧保護トリガ条件を含むことが留意されるべきである。すなわち、保護回路は、充電器の出力電流を検出して出力電流値を決定し、出力電流値が電流保護トリガ条件より大きいかどうかを決定し、出力電流値が電流保護トリガ条件より大きいとき、スイッチを開いて充電を中断するように具体的に構成される。
【００２５】
保護回路は、バッテリの電圧が過電圧であるかどうかを検出し、充電器の出力電圧が過電圧であるかどうかを検出し得ることが理解され得る。ゆえに、電圧保護トリガ条件はバッテリ電圧保護トリガ条件及び充電器電圧保護トリガ条件を含む。具体的に、バッテリの電圧はバッテリ電圧保護トリガ条件に対応し、充電器の出力電圧は充電器電圧保護トリガ条件に対応する。
【００２６】
さらに、保護回路は、バッテリの電圧値を取得するように電圧検出回路にさらに接続される。保護回路は、バッテリの電圧値がバッテリ電圧保護トリガ条件より大きいかどうかを決定し、バッテリの電圧値がバッテリ電圧保護トリガ条件より大きいとき、スイッチを開いて充電を中断するようにさらに構成される。
【００２７】
さらに、保護回路は、充電器の出力電圧を検出して出力電圧値を取得し、出力電圧値が充電器電圧保護トリガ条件より大きいかどうかを決定し、出力電圧値が充電器電圧保護トリガ条件より大きいとき、スイッチを開いて充電を中断するようにさらに構成される。
【００２８】
第１の態様を参照し、充電回路は、通信回路をさらに含む。通信回路は制御回路に接続される。
【００２９】
制御回路は、充電モードを通信回路に送信するようにさらに構成される。
【００３０】
通信回路は、充電モードを充電器に送信するように構成され、それにより、充電器は充電モードに従って充電を実行する。
【００３１】
通信回路は、接続ケーブルを使用することにより充電器に接続されてもよく、或いは無線方式で充電器と相互作用して情報転送を実行してもよいことが留意されるべきである。
【００３２】
第１の態様を参照し、充電電流をより正確に調整するために、充電回路は第２の調整回路をさらに含む。
【００３３】
第２の調整回路は第１の調整回路の第２の端部とバッテリの正の電極との間に直列に接続される。電流検出回路が第１の調整回路とバッテリの正の電極との間に直列に接続される場合、代替的に、第２の調整回路は、バッテリの正の電極と電流検出回路との間に直列に接続されてもよく、或いは第１の調整回路の第２の端部と電流検出回路との間に直列に接続されてもよいことが留意されるべきである。
【００３４】
第２の調整回路は制御回路にさらに接続される。
【００３５】
制御回路は、充電モードに従って第２の調整回路の調整閾値を決定するようにさらに構成される。
【００３６】
第２の調整回路は、電流値と第２の調整回路の調整閾値とに従って第２の調整回路のインピーダンスを調整するように構成される。
【００３７】
具体的に、第２の調整回路の調整閾値は上側閾値及び下側閾値をさらに含むことが留意されるべきである。電流値が上側閾値より大きいとき、第２の調整回路のインピーダンスは充電電流を減少させるように上方に調整され、或いは電流値が下側閾値より小さいとき、第２の調整回路のインピーダンスは充電電流を増加させるように下方に調整されることが理解され得る。
【００３８】
第１の態様を参照し、端末負荷により要求される電流が突然減少することを防止するために、充電回路は第３の調整回路及び電流監視回路をさらに含むことが留意されるべきである。
【００３９】
第３の調整回路及び電流監視回路は、第１の調整回路の第２の端部と端末負荷との間に直列に接続される。
【００４０】
電流監視回路は、端末負荷の電流の減少幅を監視し、減少幅が予め設定された閾値を超えたとき、調整命令を第３の調整回路に送信するように構成される。
【００４１】
第３の調整回路は、調整命令に従って第３の調整回路のインピーダンスを上方に調整するように構成される。
【００４２】
さらに、第３の調整回路は、予め設定された期間の後、第３の調整回路のインピーダンスを、インピーダンスが上方に調整される前の状態に戻すようにさらに構成されることが留意されるべきである。代替的に、第３の調整回路は、予め設定された期間の後、第３の調整回路のインピーダンスを下方に調整するようにさらに構成される。
【００４３】
予め設定された期間は充電器の電流調整期間より大きいことが留意されるべきである。端末負荷により要求される電流が減少した後、充電回路の電流は増加する。ゆえに、この場合、制御回路は、出力電流を減少させるための命令を充電器に送信する。命令を受信した後、充電器は電流調整期間を有し、すなわち、充電器は電流調整期間内に電流をターゲット値に調整する。
【００４４】
本発明の第２の態様が別の充電回路を開示する。充電回路は充電器、端末負荷、及びバッテリに別個に接続され、充電回路は第１の調整回路、電流検出回路、電圧検出回路、及び制御回路を含む。
【００４５】
第１の態様で開示された充電回路と異なり、充電回路内の調整回路は分岐回路において配置される。
【００４６】
具体的に、第１の調整回路の第１の端部が充電器に接続され、第１の調整回路の第１の端部は端末負荷にさらに接続され、第１の調整回路の第２の端部がバッテリの正の電極に接続され、第１の調整回路の第３の端部が制御回路に接続される。
【００４７】
バッテリの負の電極が充電器に接続される。
【００４８】
電流検出回路は第１の調整回路の第２の端部とバッテリの正の電極との間に直列に接続され、或いはバッテリの負の電極と充電器との間に直列に接続される。
【００４９】
電圧検出回路の検出端部がバッテリの正及び負の電極に並列に接続され、電圧検出回路の出力端部が制御回路に接続される。
【００５０】
電圧検出回路は、バッテリの２つの端部で電圧を検出してバッテリの電圧値を取得し、バッテリの電圧値を制御回路に送信するように構成される。
【００５１】
電流検出回路は、充電回路の電流を検出して充電回路の電流値を取得し、電流値を第１の調整回路に送信するように構成される。
【００５２】
制御回路は、バッテリの電圧値に従って充電モードを決定し、充電モードに従って電流上限値を決定するように構成される。
【００５３】
第１の調整回路は、電流値及び電流上限値を取得するように構成され、電流値を電流上限値と比較して電流値が電流上限値より大きいかどうかを決定し、電流値が電流上限値より大きいとき、電流値に従って第１の調整回路のインピーダンスを上方に調整するようにさらに構成される。
【００５４】
さらに、電流検出回路は制御回路にさらに接続されることが留意されるべきである。
【００５５】
電流検出回路は、電流値を制御回路に送信するようにさらに構成される。
【００５６】
制御回路は、電流値が電流上限値より大きいかどうかを決定し、電流値が電流上限値より大きいとき、調整命令を充電器に送信するように構成され、それにより、充電器は出力電力、出力電流、又は出力電圧を下方に調整する。
【００５７】
第２の態様を参照し、制御回路が充電器と相互作用した後、充電器は出力電流を下方に調整することが留意されるべきである。この場合、充電電流は減少する。充電効率を確保するために、第１の調整回路のインピーダンスは下方に調整される必要がある。詳細は以下のとおりである。
【００５８】
制御回路は、充電モードに従って電流下限値を決定するようにさらに構成される。
【００５９】
第１の調整回路は、電流下限値を取得し、電流値を電流下限値と比較して電流値が電流下限値より小さいかどうかを決定し、電流値が電流下限値より小さいとき、電流値に従って調整回路のインピーダンスを下方に調整するように構成される。
【００６０】
第２の態様を参照し、過電圧又は過電流を防止するために、充電回路は保護回路をさらに含む。
【００６１】
保護回路は充電器と第１の調整回路の第１の端部との間に直列に接続される。
【００６２】
制御回路は保護回路にさらに接続される。
【００６３】
制御回路は、充電モードに従って保護トリガ条件を決定し、保護トリガ条件を保護回路に送信するようにさらに構成される。
【００６４】
保護回路は、充電器の出力電流を検出して出力電流値を決定し、出力電流値が保護トリガ条件を満たすかどうかを決定し、出力電流値が保護トリガ条件を満たすとき、スイッチを開いて充電を中断するように構成される。
【００６５】
保護トリガ条件は電流トリガ保護条件及び電圧トリガ保護条件の双方を含むことが理解され得る。
【００６６】
具体的に、保護回路は、出力電流値が電流保護トリガ条件より大きいかどうかを決定し、出力電流値が電流保護トリガ条件より大きいとき、スイッチを開いて充電を中断するように構成される。
【００６７】
保護回路は、バッテリの電圧が過電圧であるかどうかを検出し、充電器の出力電圧が過電圧であるかどうかを検出し得ることが理解され得る。ゆえに、電圧保護トリガ条件はバッテリ電圧保護トリガ条件及び充電器電圧トリガ保護条件を含む。具体的に、バッテリの電圧はバッテリ電圧保護トリガ条件に対応し、充電器の出力電圧は充電器電圧保護トリガ条件に対応する。
【００６８】
さらに、保護回路は、バッテリの電圧値を取得するように電圧検出回路にさらに接続される。保護回路は、バッテリの電圧値がバッテリ電圧保護トリガ条件より大きいかどうかを決定し、バッテリの電圧値がバッテリ電圧保護トリガ条件より大きいとき、スイッチを開いて充電を中断するようにさらに構成される。
【００６９】
さらに、保護回路は、充電器の出力電圧を検出して出力電圧値を取得し、出力電圧値が充電器電圧保護トリガ条件より大きいかどうかを決定し、出力電圧値が充電器電圧保護トリガ条件より大きいとき、スイッチを開いて充電を中断するようにさらに構成される。
【００７０】
第２の態様を参照し、制御回路は、出力電力、出力電圧、又は出力電流を調整するように充電器を制御するために、充電器と相互作用する必要があることが留意されるべきである。ゆえに、充電回路は通信回路をさらに含む。通信回路は制御回路に接続される。
【００７１】
制御回路は、充電モードを通信回路に送信するようにさらに構成される。
【００７２】
通信回路は、充電モードを充電器に送信するように構成され、それにより、充電器は充電モードに従って充電を実行する。
【００７３】
通信回路は、情報転送を実行するために接続ケーブルを使用することにより充電器に接続されてもよいことが留意されるべきである。代替的に、通信回路は無線方式で充電器と相互作用してもよい。
【００７４】
第２の態様を参照し、任意選択で、充電回路は第２の調整回路及び電流監視回路をさらに含む。
【００７５】
第２の調整回路及び電流監視回路は、第１の調整回路の第１の端部と端末負荷との間に直列に接続される。
【００７６】
電流監視回路は、端末負荷の電流の減少幅を監視し、減少幅が予め設定された閾値を超えたとき、調整命令を第２の調整回路に送信するように構成される。
【００７７】
第２の調整回路は、調整命令に従って第２の調整回路のインピーダンスを上方に調整するように構成される。
【００７８】
さらに、第２の調整回路は、予め設定された期間の後、第２の調整回路のインピーダンスを、インピーダンスが上方に調整される前の状態に戻すようにさらに構成されることが留意されるべきである。
【００７９】
本発明の第３の態様が別の充電回路を開示する。充電回路は充電器、端末負荷、及びバッテリに別個に接続され、充電回路は調整回路及び電流監視回路を含む。
【００８０】
調整回路の第１の端部が充電器に接続され、調整回路の第２の端部が電流監視回路の第１の端部に接続され、電流監視回路の第２の端部が端末負荷に接続される。
【００８１】
充電器の正の電極がバッテリの正の電極に接続され、充電器の負の電極がバッテリの負の電極に接続される。
【００８２】
電流監視回路は、端末負荷の電流の減少幅を監視し、減少幅が予め設定された閾値を超えたとき、調整命令を調整回路に送信するように構成される。
【００８３】
調整回路は、調整命令に従って調整回路のインピーダンスを上方に調整するように構成される。
【００８４】
さらに、調整回路は、調整回路のインピーダンスが上方に調整されるための予め設定された期間の後、調整回路のインピーダンスを、インピーダンスが上方に調整される前の状態に戻すようにさらに構成されることが留意されるべきである。
【００８５】
第３の態様を参照し、過電圧又は過電流を防止するために、充電回路は電流検出回路、電圧検出回路、制御回路、及び保護回路をさらに含むことが留意されるべきである。
【００８６】
保護回路は充電器とバッテリの正の電極との間に直列に接続される。
【００８７】
電流検出回路は保護回路とバッテリの正の電極との間に直列に接続され、或いはバッテリの負の電極と充電器との間に直列に接続される。
【００８８】
電圧検出回路の検出端部がバッテリの正及び負の電極に並列に接続される。
【００８９】
制御回路は電流検出回路に接続され、電圧検出回路の出力端部にさらに接続され、保護回路にさらに接続される。
【００９０】
電圧検出回路は、バッテリの２つの端部で電圧を検出してバッテリの電圧値を取得し、バッテリの電圧値を制御回路に送信するように構成される。
【００９１】
電流検出回路は、充電回路の電流を検出して充電回路の電流値を取得し、電流値を保護回路に送信するように構成される。
【００９２】
制御回路は、バッテリの電圧値に従って充電モードを決定し、充電モードに従って保護トリガ条件を決定するように構成される。
【００９３】
保護回路は、充電器の出力電流を検出して出力電流値を決定し、出力電流値が保護トリガ条件を満たすかどうかを決定し、出力電流値が保護トリガ条件を満たすとき、スイッチを開いて充電を中断するように構成される。
【００９４】
保護回路は、バッテリの電圧が過電圧であるかどうかを検出し、充電器の出力電圧が過電圧であるかどうかを検出し得ることが理解され得る。ゆえに、電圧保護トリガ条件はバッテリ電圧保護トリガ条件及び充電器電圧トリガ保護条件を含む。具体的に、バッテリの電圧はバッテリ電圧保護トリガ条件に対応し、充電器の出力電圧は充電器電圧保護トリガ条件に対応する。
【００９５】
さらに、保護回路は、バッテリの電圧値を取得するように電圧検出回路にさらに接続される。保護回路は、バッテリの電圧値がバッテリ電圧保護トリガ条件より大きいかどうかを決定し、バッテリの電圧値がバッテリ電圧保護トリガ条件より大きいとき、スイッチを開いて充電を中断するようにさらに構成される。
【００９６】
さらに、保護回路は、充電器の出力電圧を検出して出力電圧値を取得し、出力電圧値が充電器電圧保護トリガ条件より大きいかどうかを決定し、出力電圧値が充電器電圧保護トリガ条件より大きいとき、スイッチを開いて充電を中断するようにさらに構成される。
【００９７】
本発明の第４の態様が端末をさらに開示する。端末は第１の態様乃至第３の態様のうちいずれか１つに記載の充電回路を含む。
【００９８】
本発明の第５の態様が充電システムを開示する。充電システムは、充電器、接続ケーブル、及び第４の態様に記載の端末を含む。
【００９９】
充電器は、接続ケーブルを使用することにより端末に接続される。
【０１００】
本発明の第６の態様が充電方法を開示する。方法は、充電電流を検出して充電電流値を取得するステップと、バッテリの電圧を検出してバッテリの電圧値を取得するステップと、バッテリの電圧値に一致する充電モードを決定するステップと、充電モードに従って電流上限値を決定するステップと、充電電流値が電流上限値より大きいとき、充電電流値に従って充電パスのインピーダンスを上方に調整するステップと、を含む。
【０１０１】
さらに、方法は、充電モードに従って電流下限値を決定するステップと、充電電流値が電流下限値より小さいとき、充電電流値に従って充電パスのインピーダンスを下方に調整するステップと、をさらに含むことが留意されるべきである。
【０１０２】
前述から、本発明の技術的解決策は充電回路、端末、及び充電システムを提供することが習得できる。充電回路は充電器、端末負荷、及びバッテリに別個に接続される。充電回路は第１の調整回路、電流検出回路、電圧検出回路、及び制御回路を含む。第１の調整回路の第１の端部が充電器に接続され、第１の調整回路の第２の端部がバッテリの正の電極に接続され、第１の調整回路の第２の端部は端末負荷にさらに接続され、第１の調整回路の第３の端部が制御回路に接続される。バッテリの負の電極が充電器に接続される。電流検出回路は、第１の調整回路の第２の端部とバッテリの正の電極との間に直列に接続され、或いはバッテリの負の電極と充電器との間に直列に接続される。電圧検出回路の検出端部が、バッテリの正及び負の電極に並列に接続される。電圧検出回路の出力端部が制御回路に接続される。電圧検出回路は、バッテリの２つの端部で電圧を検出してバッテリの電圧値を取得し、バッテリの電圧値を制御回路に送信するように構成される。電流検出回路は、充電回路の電流を検出して充電回路の電流値を取得し、電流値を第１の調整回路に送信するように構成される。制御回路は、バッテリの電圧値に従って充電モードを決定し、充電モードに従って電流上限値を決定するように構成される。第１の調整回路は、電流値及び電流上限値を取得するように構成され、電流値を電流上限値と比較して電流値が電流上限値より大きいかどうかを決定し、電流値が電流上限値より大きいとき、電流値に従って第１の調整回路のインピーダンスを上方に調整するようにさらに構成される。本発明で提供される充電回路は、充電電流が突然増加したとき、過度に高い充電電流に起因した充電回路及びバッテリへの損傷を防止するために、充電電流を調整できる。さらに、充電器が出力電流を下方に調整した後、充電電流が減少する。この場合、充電回路内の調整回路のインピーダンスは、充電効率を確保するために、充電電流を増加させるように下方に調整されてもよい。
【図面の簡単な説明】
【０１０３】
本発明の実施例における技術的解決策をより明確に説明するために、本発明の実施例を説明するために必要な添付図面を以下で簡潔に説明する。明らかに、以下の説明における添付図面は本発明のいくつかの実施例を示すに過ぎず、当業者は創作的取り組みなしにこれら添付図面から他の図面を依然として導き出し得る。
【図１】従来技術における電子デバイス充電制御装置である。
【図２】本発明の実施例による充電システムの概略図である。
【図３】本発明の実施例による充電回路の概略図である。
【図４】本発明の別の実施例による充電回路の概略図である。
【図５】本発明の別の実施例による充電回路の概略図である。
【図６】本発明の別の実施例による充電回路の概略図である。
【図７】本発明の別の実施例による充電回路の概略図である。
【図８】本発明の別の実施例による充電回路の概略図である。
【図９】本発明の別の実施例によるＭＯＳトランジスタのドレイン・ソース・オン状態抵抗と駆動電圧との間の関係の線グラフである。
【図１０】本発明の別の実施例による充電方法を示す。
【発明を実施するための形態】
【０１０４】
本発明の実施例の目的、技術的解決策、及び利点をより明確にするために、本発明の実施例における添付図面を参照して本発明の実施例の技術的解決策を以下で説明する。
【０１０５】
科学及び技術の発展により、端末（例えば、スマートフォン、ウェアラブルデバイス、及びタブレットコンピュータのような電子デバイス）の機能はより強化してきており、ユーザは端末を使用することによりオフィスワーク及びエンターテインメントを実行でき、それにより、端末は人々の日常生活において不可欠な部分になっている。しかしながら、端末の持続能力は限られており、ユーザは端末を絶えず充電する必要がある。
【０１０６】
ユーザが端末を適切に使用できることを確保するために、高速技術が充電の好ましい解決策になる。
【０１０７】
現在、一般的な高速充電技術は２つのタイプ、すなわち、低電圧高電流高速充電技術と高電圧低電流高速充電技術とに主に分類され得る。低電圧高電流高速充電及び高電圧低電流高速充電の双方について、端末の充電回路内の電流が、バッテリに入力されるとき、より高い充電電流（これは、バッテリが耐えられる最大安全充電電流又はバッテリ寿命を損なわない安全充電電流を超えることはできない）に変換され得る。この場合、高電流充電がバッテリに対して実行されるときに高速充電の充電安全性を確保する方法が特に重要になる。
【０１０８】
図１に示されるように、電子デバイス充電制御装置が従来技術において提供されている。電子デバイス充電制御装置により電子デバイス内のバッテリを充電するプロセスにおいて、電源アダプタは先ず、定電圧出力を用いてバッテリを充電する。充電制御モジュールにより送信された高速充電命令コマンドを受信した後、電源アダプタは、充電制御モジュールによりフィードバックされたバッテリ電圧に従って出力電圧を調整し、出力電圧が充電制御モジュールにより予め設定された高速充電電圧条件を満たすとき高速充電電流値及び高速充電電圧値に従って出力電流及び出力電圧を調整して、バッテリに対する高速充電を実行する。さらに、充電制御モジュールは、電源アダプタから直流を導入してバッテリを充電する。高速充電プロセスにおいて、電源アダプタは、電源アダプタの出力電圧とバッテリ電圧とに従ってリアルタイムで出力電流をさらに調整し、それにより、バッテリの高速充電が、電源アダプタの出力電流及び出力電圧を調整することにより実現される。
【０１０９】
前述から、技術的解決策において、電源アダプタは電子デバイス内の充電制御モジュールから充電電流及び充電電圧のフィードバック情報をリアルタイム通信方式で取得し、電源アダプタにおいてリアルタイム調整を実行することが習得できる。技術的解決策は、充電プロセスにおいてリアルタイム調整に対する要件が比較的低いシナリオに適用可能である。リアルタイム調整に対する要件が比較的高い充電シナリオにおいて、端末負荷により要求される電流が突然減少し、電源アダプタの出力調整が適時に実行されない場合、バッテリに流れる充電電流は突然増加する。これは、電子デバイス内の充電回路及び充電バッテリに対する潜在的な安全性の脅威を容易に引き起こす。
【０１１０】
図２に示されるように、図２は本発明の実施例による充電システムである。本発明で提供される充電システムを用いて、充電電流が突然増加したとき、過度に高い充電電流に起因した充電回路及びバッテリへの損傷を防止するために、充電電流が調整できる。
【０１１１】
具体的に、充電システムは、端末、充電器、及び接続ケーブルを含む。端末は、接続ケーブルを使用することにより充電器に接続される。
【０１１２】
端末は、スマートフォン、タブレットコンピュータ、インテリジェントウェアラブルデバイス、又はコンピュータのような電子デバイスでもよい。
【０１１３】
図２に示されるように、端末は、端末の端末負荷、バッテリ、及び充電回路を含む。
【０１１４】
充電回路は、充電器、端末負荷、及びバッテリに別個に接続される。
【０１１５】
充電回路は、バッテリの２つの端部で電圧を検出してバッテリの電圧値を取得し、バッテリの電圧値に従って充電モードを決定し、充電モードに従って電流上限値を決定するように構成され、充電回路の電流を検出して充電回路の電流値を取得し、電流値が電流上限値より大きいかどうかを決定し、電流値が電流上限値より大きいとき、電流値に従って調整回路のインピーダンスを上方に調整するようにさらに構成されることが留意されるべきである。
【０１１６】
さらに、充電回路は、充電モードに従って電流下限値を決定し、電流値が電流下限値より小さいかどうかを決定し、電流値が電流下限値より小さいとき、電流値に従って調整回路のインピーダンスを下方に調整するようにさらに構成される。
【０１１７】
前述から、本発明で提供される充電回路を用いて、端末負荷により消費される電流が減少し且つ電源アダプタからの出力電流が適時に調整できないため充電中に充電電流が突然増加するシナリオにおいて、過度に高い充電電流に起因したバッテリ又は充電回路への損傷を防止し、さらに充電安全性を確保するために、充電回路のインピーダンスが充電電流を減少させるように充電プロセスにおいて調整できることが習得できる。さらに、充電器が出力電流を下方に調整した後、充電電流が減少する。この場合、充電回路内の調整回路のインピーダンスは、充電効率を確保するために、充電電流を増加させるように下方に調整されてもよい。
【０１１８】
図３に示されるように、図３は充電回路の具体的な実現方式を示す。充電回路１０は、充電器、端末負荷、及びバッテリに別個に接続され、それにより、充電回路を使用することによりバッテリを充電するとき、充電器は電力を端末負荷にさらに供給できる。
【０１１９】
具体的に、充電回路１０は、第１の調整回路１１０、電流検出回路１２０、電圧検出回路１３０、及び制御回路１４０を含む。
【０１２０】
図３に示されるように、第１の調整回路１１０は充電器の正の電極に接続され、第１の調整回路１１０の第２の端部が電流検出回路１２０の第１の端部に接続され、第１の調整回路１１０の第２の端部が端末負荷にさらに接続され、第１の調整回路１１０の第３の端部が制御回路１４０に接続される。
【０１２１】
第１の調整回路はＭＯＳトランジスタ（すなわち、金属絶縁体トランジスタ（metal  insulator  transistor）とも呼ばれ得る金属酸化物半導体電界効果トランジスタ（metal  oxide  semiconductor  field  effect  transistor））でもよいことが留意されるべきである。ＭＯＳトランジスタは３つのポートを有することが理解され得る。３つのポートは、それぞれ、Ｇ電極、Ｓ電極、及びＤ電極である。
【０１２２】
第１の端部はＳ電極でもよく、第２の端部はＤ電極でもよく、第３の端部はＧ電極でもよい。
【０１２３】
代替的に、第１の端部はＤ電極でもよく、第２の端部はＳ電極でもよく、第３の端部はＧ電極でもよい。具体的に、第１の調整回路は、Ｇ及びＳ端部で駆動電圧を調整することにより第１の調整回路のインピーダンスを調整してもよい。
【０１２４】
電流検出回路１２０の第２の端部がバッテリの正の電極に接続され、バッテリの負の電極が充電器に接続される。代替的に、電流検出回路１２０はバッテリの負の電極と充電器との間に直列に接続され、電圧検出回路１３０の検出端部はバッテリの正及び負の電極に並列に接続される。
【０１２５】
電圧検出回路１３０の１つの端部がバッテリの正の電極に接続され、別の端部がバッテリの負の電極に接続されることが理解され得る。電圧検出回路１３０の出力端部が制御回路１４０にさらに接続される。接続方式に従って、電圧検出回路１３０は、バッテリの２つの端部で電圧を検出してバッテリの電圧値を取得し、バッテリの電圧値を制御回路１４０に送信するように構成されることが理解され得る。
【０１２６】
電流検出回路１２０は、充電回路の電流を検出して充電回路の電流値を取得し、電流値を第１の調整回路１１０に送信するように構成される。
【０１２７】
制御回路１４０は、バッテリの電圧値に従って充電モードを決定し、充電モードに従って電流上限値を決定するように構成される。
【０１２８】
例えば、制御回路１４０は、バッテリの電圧値に従って以下の表を検索して充電モードを決定する。
【表１】
2019530412.tif 000016
【０１２９】
さらに、制御回路１４０は、充電モードに従って以下の表を検索して電流上限値を決定する。
【表２】
2019530412.tif 000017
【０１３０】
第１の調整回路１１０は、電流値及び電流上限値を取得するように構成され、電流値が電流上限値より大きいかどうかを決定し、電流値が電流上限値より大きいとき、電流値に従って第１の調整回路のインピーダンスを上方に調整するようにさらに構成される。
【０１３１】
第１の調整回路１１０のインピーダンスを上方に調整することの目的は充電電流を減少させることであり、すなわち、より大きい電流値は第１の調整回路のより高い調整されたインピーダンスを示すことが留意されるべきである。しかしながら、第１の調整回路のインピーダンスは、デフォルトの最大値又は手動で指定された最大値を通常有する。調整回路のインピーダンスが最大値に調整され、充電電流が依然として電流上限値より大きいとき、第１の調整回路は切断され、アラームを制御回路１４０に送信し、それにより、制御回路は、再充電の試行のために関連する充電パラメータ（例えば、充電器の出力電圧又は充電器の出力電流）を再構成する。
【０１３２】
さらに、充電電流が電流上限値より大きいとき、相互作用が充電器との間で実行される必要があり、それにより、充電器は出力電流又は出力電力又は出力電圧を下方に調整することが留意されるべきである。
【０１３３】
具体的に、電流検出回路１２０は制御回路１４０にさらに接続される。
【０１３４】
電流検出回路１２０は、電流値を制御回路１４０に送信するようにさらに構成される。
【０１３５】
制御回路１４０は、電流値が電流上限値より大きいかどうかを決定し、電流値が電流上限値より大きいとき、調整命令を充電器に送信するように構成され、それにより、充電器は、出力電力、出力電流、又は出力電圧を下方に調整する。
【０１３６】
さらに、充電器が出力電流、出力電圧、又は出力電力を下方に調整したとき、充電回路の電流が減少することが留意されるべきである。減少した電流の電流値が電流下限値より小さい場合、充電効率を確保するために、第１の調整回路１１０のインピーダンスは、充電電流を増加させるように下方に調整される必要がある。
【０１３７】
具体的に、制御回路１４０は、充電モードに従って電流下限値を決定するようにさらに構成される。第１の調整回路１１０は、電流下限値を取得し、電流値が電流下限値より小さいかどうかを決定し、電流値が電流下限値より小さいとき、電流値に従って第１の調整回路のインピーダンスを下方に調整するようにさらに構成される。
【０１３８】
第１の調整回路のインピーダンスが現在比較的高い場合、充電器の出力電流は、制御回路が充電器と相互作用した後に減少することが留意されるべきである。この場合、充電回路の充電電流は減少し、充電効率が影響を受ける。バッテリの充電効率を確保するために、第１の調整回路のインピーダンスは、充電電流を増加させるように下方に調整される必要がある。
【０１３９】
図３に示される充電回路に基づき、過電圧又は過電流を防止するために、充電回路１０は保護回路１５０をさらに含む。
【０１４０】
図４に示されるように、保護回路１５０は充電器と第１の調整回路１１０の第１の端部との間に直列に接続される。制御回路１４０は保護回路１５０にさらに接続される。
【０１４１】
制御回路１４０は、充電モードに従って保護トリガ条件を決定し、保護トリガ条件を保護回路１５０に送信するようにさらに構成される。
【０１４２】
例えば、制御回路１４０は、充電モードに従って以下の表を検索して保護トリガ条件を決定してもよい。
【表３】
2019530412.tif 000018
【０１４３】
保護回路１５０は、充電器の出力電流を検出して出力電流値を決定し、出力電流値が保護トリガ条件を満たすかどうかを決定し、出力電流値が保護トリガ条件を満たすとき、スイッチを開いて充電を中断するように構成される。
【０１４４】
前述から、保護トリガ条件は電流保護トリガ条件及び電圧保護トリガ条件を含むことが習得できる。すなわち、保護回路１５０は、出力電流値が電流保護トリガ条件（過電流保護閾値）より大きいかどうかを決定し、出力電流値が電流保護トリガ条件より大きいとき、スイッチを開いて充電を中断するように具体的に構成される。
【０１４５】
保護回路１５０は、バッテリの電圧が過電圧であるかどうかを検出し、充電器の出力電圧が過電圧であるかどうかを検出し得ることが理解され得る。ゆえに、電圧保護トリガ条件はバッテリ電圧保護トリガ条件及び充電器電圧トリガ保護条件を含む。具体的に、バッテリの電圧はバッテリ電圧保護トリガ条件に対応し、充電器の出力電圧は充電器電圧保護トリガ条件に対応する。
【０１４６】
さらに、保護回路１５０は、バッテリの電圧値を取得するために、電圧検出回路１３０にさらに接続される。
【０１４７】
保護回路１５０は、バッテリの電圧を検出してバッテリの電圧値を決定し、バッテリの電圧値がバッテリ電圧保護トリガ条件（過電圧保護閾値）より大きいかどうかを決定するようにさらに構成される。
【０１４８】
さらに、保護回路は、充電器の出力電圧を取得して出力電圧値を取得し、出力電圧値が充電器電圧保護トリガ条件より大きいかどうかを決定し、出力電圧値が充電器電圧保護トリガ条件より大きいとき、スイッチを開いて充電を中断するようにさらに構成される。
【０１４９】
図４に示されるように、充電回路１０は通信回路１６０をさらに含む。
【０１５０】
通信回路１６０は制御回路１４０に接続される。
【０１５１】
制御回路１４０は、充電モードを通信回路１６０に送信するようにさらに構成される。
【０１５２】
通信回路１６０は、充電モードを充電器に送信するように構成され、それにより、充電器は、充電モードに従って充電を実行する。
【０１５３】
通信回路は、接続ケーブルを使用することにより充電器に接続されてもよく、或いは無線方式で充電器と相互作用して情報転送を実行してもよいことが留意されるべきである。
【０１５４】
図４に示されるように、充電電流をより正確に調整するために、充電回路は第２の調整回路１７０をさらに含む。第２の調整回路は、ＭＯＳトランジスタでもよく、或いはすべり抵抗器（slide  rheostat）でもよい。
【０１５５】
第２の調整回路１７０は第１の調整回路の第２の端部と電流検出回路１２０との間に直列に接続される。代替的に、第２の調整回路１７０はバッテリの正の電極と電流検出回路１２０との間に直列に接続されてもよい。
【０１５６】
第２の調整回路１７０は制御回路１４０にさらに接続される。
【０１５７】
制御回路１４０は、充電モードに従って第２の調整回路１７０の調整閾値を決定するようにさらに構成される。
【０１５８】
第２の調整回路１７０は、電流値と第２の調整回路の調整閾値とに従って第２の調整回路のインピーダンスを調整するように構成される。
【０１５９】
具体的に、第２の調整回路１７０の調整閾値は上側閾値及び下側閾値をさらに含むことが留意されるべきである。電流値が上側閾値より大きいとき、第２の調整回路１７０のインピーダンスは充電電流を減少させるように上方に調整され、或いは電流値が下側閾値より小さいとき、第２の調整回路のインピーダンスは充電電流を増加させるように下方に調整されることが理解され得る。
【０１６０】
図４に示されるように、端末負荷により要求される電流が突然減少することを防止するために、充電回路１０は第３の調整回路１８０及び電流監視回路１９０をさらに含む。
【０１６１】
第３の調整回路１８０及び電流監視回路１９０は、第１の調整回路１１０と端末負荷との間に直列に接続される。
【０１６２】
電流監視回路１９０は、端末負荷の電流の減少幅（decrease  amplitude）を監視し、減少幅が予め設定された閾値を超えたとき、調整命令を第３の調整回路１８０に送信するように構成される。
【０１６３】
第３の調整回路１８０は、調整命令に従って第３の調整回路のインピーダンスを上方に調整するように構成される。
【０１６４】
さらに、端末負荷により消費される電力が減少するため、第３の調整回路１８０は、充電回路の充電電流が過度に高くなることを防止するために、電流シャント（current  shunting）を実行する必要があることが留意されるべきである。端末負荷により消費される電力が減少したことを監視したとき、端末は充電器に、出力電力又は出力電流を減少させるように命令する。端末から命令を受信した後、充電器は出力電力又は出力電流を減少させる。この調整機能は時間がかかる。調整が完了した後、端末負荷の電流が減少する。この場合、第３の調整ユニットが、インピーダンスを減少させ、或いはインピーダンスを、インピーダンスが上方に調整される前の状態に戻す。
【０１６５】
具体的に、第３の調整回路１８０は、予め設定された期間の後、第３の調整回路１８０のインピーダンスを、インピーダンスが上方に調整される前の状態に戻すようにさらに構成される。
【０１６６】
予め設定された期間は充電器の電流調整期間より大きいことが留意されるべきである。
【０１６７】
端末負荷により要求される電流が減少した後、充電回路の電流が増加する。この場合、制御回路は、出力電流を減少させるための命令を充電器に送信する。命令を受信した後、充電器は電流調整期間を有し、すなわち、充電器は電流調整期間内に電流をターゲット値に調整する。
【０１６８】
要するに、図３及び図４を参照し、端末負荷により消費される電力又は電流が突然減少することを防止し、充電器が適時に出力電力又は電流を減少できないことに起因した過度に高い充電電流を防止するために、本発明は充電回路を提供することが習得され得る。充電回路は、過度に高い充電電流に起因した充電回路又はバッテリへの損傷を防止するために、適時に電流シャントを実行できる調整回路を含む。さらに、充電器が出力電流を下方に調整した後、充電電流は減少する。この場合、充電回路内の調整回路のインピーダンスは、充電効率を確保するために、充電電流を増加させるように下方に調整されてもよい。
【０１６９】
図５に示されるように、図５は充電回路の具体的な実現方式を示す。充電回路２０は、充電器、端末負荷、及びバッテリに別個に接続される。充電回路２０は、第１の調整回路２１０、電流検出回路２２０、電圧検出回路２３０、及び制御回路２４０を含む。
【０１７０】
図３に示される充電回路と異なり、充電回路２０内の第１の調整回路２１０は充電分岐回路において配置される。
【０１７１】
具体的に、第１の調整回路２１０の第１の端部が充電器に接続され、第１の調整回路２１０の第１の端部は端末負荷にさらに接続され、第１の調整回路２１０の第２の端部が電流検出回路２２０の第１の端部に接続され、第１の調整回路２１０の第３の端部が制御回路２４０に接続される。
【０１７２】
第１の調整回路はＭＯＳトランジスタでもよい。
【０１７３】
第１の調整回路２１０の第１の端部は充電器の正の電極に接続されることが理解され得る。
【０１７４】
電流検出回路２２０の第２の端部がバッテリの正の電極に接続される。代替的に、電流検出回路はバッテリの負の電極と充電器との間に直列に接続されてもよい。
【０１７５】
バッテリの負の電極は充電器に接続される。バッテリの負の電極は充電器の負の電極に接続されることが理解され得る。
【０１７６】
電圧検出回路２３０の検出端部がバッテリの正及び負の電極に並列に接続され、電圧検出回路２３０の出力端部が制御回路２４０に接続される。
【０１７７】
電圧検出回路２３０は、バッテリの２つの端部で電圧を検出してバッテリの電圧値を取得し、バッテリの電圧値を制御回路２４０に送信するように構成される。
【０１７８】
電流検出回路２２０は、充電回路の電流を検出して充電回路の電流値を取得し、電流値を第１の調整回路２１０に送信するように構成される。
【０１７９】
制御回路２４０は、バッテリの電圧値に従って充電モードを決定し、充電モードに従って電流上限値を決定するように構成される。
【０１８０】
第１の調整回路２１０は、電流値及び電流上限値を取得するように構成され、電流値が電流上限値より大きいかどうかを決定し、電流値が電流上限値より大きいとき、電流値に従って第１の調整回路のインピーダンスを上方に調整するようにさらに構成される。
【０１８１】
さらに、電流検出回路２１０は制御回路２４０にさらに接続されることが留意されるべきである。
【０１８２】
電流検出回路２１０は、電流値を制御回路２４０に送信するようにさらに構成される。
【０１８３】
制御回路２４０は、電流値が電流上限値より大きいかどうかを決定し、電流値が電流上限値より大きいとき、調整命令を充電器に送信するように構成され、それにより、充電器は、出力電力、出力電流、又は出力電圧を下方に調整する。
【０１８４】
さらに、制御回路２４０が充電器と相互作用した後、充電器は出力電流を下方に調整することが留意されるべきである。この場合、充電電流が減少する。充電効率を確保するために、第１の調整回路２１０のインピーダンスは下方に調整される必要がある。詳細は以下のとおりである。
【０１８５】
制御回路２４０は、充電モードに従って電流下限値を決定するようにさらに構成される。
【０１８６】
第１の調整回路２１０は、電流下限値を取得し、電流値が電流下限値より小さいかどうかを決定し、電流値が電流下限値より小さいとき、電流値に従って調整回路のインピーダンスを下方に調整するように構成される。
【０１８７】
図５に基づき、図６に示される充電回路２０は保護回路２５０をさらに含む。保護回路２５０は、過電圧又は過電流を防止するように構成されてもよい。
【０１８８】
具体的に、保護回路２５０は充電器と第１の調整回路２１０との間に直列に接続される。
【０１８９】
制御回路２４０は保護回路２５０にさらに接続される。
【０１９０】
制御回路２４０は、充電モードに従って保護トリガ条件を決定し、保護トリガ条件を保護回路２５０に送信するようにさらに構成される。
【０１９１】
保護回路２５０は、充電器の出力電流を検出して出力電流値を決定し、出力電流値が保護トリガ条件を満たすかどうかを決定し、出力電流値が保護トリガ条件を満たすとき、スイッチを開いて充電を中断するように構成される。
【０１９２】
保護トリガ条件は電流トリガ保護条件及び電圧トリガ保護条件の双方を含むことが理解され得る。
【０１９３】
具体的に、保護回路２５０は、充電器の出力電流を検出して出力電流値を決定し、出力電流値が電流保護トリガ条件より大きいかどうかを決定し、出力電流値が電流保護トリガ条件より大きいとき、スイッチを開いて充電を中断するように構成される。
【０１９４】
保護回路２５０は、バッテリの電圧が過電圧であるかどうかを検出し、充電器の出力電圧が過電圧であるかどうかを検出し得ることが理解され得る。ゆえに、電圧保護トリガ条件はバッテリ電圧保護トリガ条件及び充電器電圧トリガ保護条件を含む。具体的に、バッテリの電圧はバッテリ電圧保護トリガ条件に対応し、充電器の出力電圧は充電器電圧保護トリガ条件に対応する。保護回路２５０は、バッテリの電圧値を取得するために、電圧検出回路２３０にさらに接続されることが留意されるべきである。
【０１９５】
保護回路２５０は、バッテリの電圧値が電圧保護トリガ条件より大きいかどうかを決定し、バッテリの電圧値が電圧保護トリガ条件より大きいとき、スイッチを開いて充電を中断するようにさらに構成される。
【０１９６】
さらに、保護回路２５０は、充電器の出力電圧を検出して出力電圧値を取得し、出力電圧値が充電器電圧保護トリガ条件より大きいかどうかを決定し、出力電圧値が充電器電圧保護トリガ条件より大きいとき、スイッチを開いて充電を中断するようにさらに構成される。
【０１９７】
図６に示されるように、充電回路２０は通信回路２６０をさらに含む。具体的に、通信回路２６０は制御回路２４０に接続される。制御回路２４０は、出力電力、出力電圧、又は出力電流を調整するように充電器を制御するために、充電器と相互作用する必要がある。
【０１９８】
詳細は以下のとおりである。
【０１９９】
制御回路２４０は、充電モードを通信回路２６０に送信するようにさらに構成される。
【０２００】
通信回路２６０は、充電モードを充電器に送信するように構成され、それにより、充電器は、充電モードに従って充電を実行する。
【０２０１】
通信回路２６０は、情報転送を実行するために接続ケーブルを使用することにより充電器に接続されてもよいことが留意されるべきである。代替的に、通信回路は無線方式で充電器と相互作用してもよい。
【０２０２】
図６に示されるように、充電回路２０は第２の調整回路２７０及び電流監視回路２８０をさらに含む。
【０２０３】
第２の調整回路２７０及び電流監視回路２８０は、第１の調整回路２１０の第１の端部と端末負荷との間に直列に接続される。
【０２０４】
電流監視回路２８０は、端末負荷の電流の減少幅を監視し、減少幅が予め設定された閾値を超えたとき、調整命令を第２の調整回路に送信するように構成される。
【０２０５】
第２の調整回路２７０は、調整命令に従って第２の調整回路のインピーダンスを上方に調整するように構成される。
【０２０６】
さらに、第２の調整回路２７０は、予め設定された期間の後、第２の調整回路２７０のインピーダンスを、インピーダンスが上方に調整される前の状態に戻すようにさらに構成されることが留意されるべきである。
【０２０７】
図７に示されるように、図７は別の具体的な充電回路３０を提供する。充電回路３０は、充電器、端末負荷、及びバッテリに別個に接続される。充電回路３０は、調整回路３１０、電流監視回路３２０、電流検出回路３３０、電圧検出回路３４０、制御回路３５０、保護回路３６０、及び通信回路３７０を含む。
【０２０８】
調整回路３１０の第１の端部が充電器に接続され、調整回路３１０の第２の端部が電流監視回路３２０の第１の端部に接続され、電流監視回路３２０の第２の端部が端末負荷に接続される。
【０２０９】
充電器の正の電極がバッテリの正の電極に接続され、充電器の負の電極がバッテリの負の電極に接続される。
【０２１０】
電流監視回路３２０は、端末負荷の電流の減少幅を監視し、減少幅が予め設定された閾値を超えたとき、調整命令を調整回路３１０に送信するように構成される。
【０２１１】
調整回路３２０は、調整命令に従って調整回路のインピーダンスを上方に調整するように構成される。
【０２１２】
さらに、調整回路３２０は、調整回路のインピーダンスが上方に調整されるための予め設定された期間の後、調整回路３２０のインピーダンスを、インピーダンスが上方に調整される前の状態に戻すようにさらに構成されることが留意されるべきである。
【０２１３】
保護回路３６０及び電流検出回路３３０は、充電器とバッテリとの間に直列に接続される。
【０２１４】
電圧検出回路３４０は、バッテリの２つの端部に並列に接続される。
【０２１５】
制御回路３５０は電流検出回路３３０に接続され、電圧検出回路３４０にさらに接続され、保護回路３６０にさらに接続される。
【０２１６】
電圧検出回路３４０は、バッテリの２つの端部で電圧を検出してバッテリの電圧値を取得し、バッテリの電圧値を制御回路３５０に送信するように構成される。
【０２１７】
電流検出回路３３０は、充電回路の電流を検出して充電回路の電流値を取得するように構成される。
【０２１８】
制御回路３５０は、バッテリの電圧値に従って充電モードを決定するように構成される。
【０２１９】
制御回路３５０は、電流値が電流上限値より大きいとき、通信回路３７０を使用することにより、出力電圧又は出力電力を下方に調整するための命令を充電器に送信するようにさらに構成される。
【０２２０】
制御回路３５０は、電流値が電流下限値より小さいとき、通信回路３７０を使用することにより、出力電圧又は出力電力を上方に調整するための命令を充電器に送信するようにさらに構成される。
【０２２１】
保護回路３６０は、充電器の出力電流を検出して出力電流値を決定し、出力電流値が保護トリガ条件を満たすかどうかを決定し、出力電流値が保護トリガ条件を満たすとき、スイッチを開いて充電を中断するように構成される。
【０２２２】
本発明の別の実施例において、図８に示されるように、具体的な充電回路が提供される。充電回路は、ＭＯＳトランジスタのドレイン・ソース・オン状態抵抗（drain-source  on-state  resistance）が駆動電圧と共に変化するという特徴を使用することにより充電電流を調整する。ＭＯＳトランジスタのドレイン・ソース・オン状態抵抗と駆動電圧との間の関係が図９に示される。
【０２２３】
具体的に、駆動電圧がスイッチオン電圧に到達したとき、ＭＯＳトランジスタはオンに切り替えられ、ドレイン・ソース・オン状態抵抗が最大である。ｖｇｓ電圧（駆動電圧）が増加するとき、ドレイン・ソース・オン状態抵抗は徐々に減少する。
【０２２４】
駆動電圧がＶｔｈより低いとき、ＭＯＳトランジスタはオフに切り替えられ、充電は終了する。
【０２２５】
原理に基づき、ＭＯＳトランジスタは、充電プロセスにおいて調整及び保護を実現するために、スイッチングチューブ及び調整コンポーネントとして使用されてもよい。
【０２２６】
図８に示される充電回路は、保護回路、調整回路、第１の電流検出回路、第２の電流検出回路、電圧検出回路、通信回路、及び制御回路を含む。
【０２２７】
保護回路は、抵抗器Ｒ１及びＲ２並びに比較器ＣＭＰ１及びＣＭＰ２を含む。
【０２２８】
具体的に、Ｒ１及びＲ２は電圧分割ネットワークを形成し、入力電圧を検出する。ＣＭＰ１は、検出された電圧を入力過電圧閾値と比較して、検出された電圧が過電圧であるかどうかを決定する。
【０２２９】
第１の電流検出回路は、保護回路及び調整回路を通過する電流を検出するように構成され、具体的に、抵抗器又は増幅回路でもよい。代替的に、検出された電流値は、ＭＯＳトランジスタの２つの端部間の電圧降下をＭＯＳトランジスタのドレイン・ソース・オン状態抵抗値で除算することにより取得されてもよい。検出された電流値は、過電流が発生しているかどうかを決定するために、ＣＭＰ２の比較回路において過電流閾値と比較される。
【０２３０】
電圧検出回路は抵抗器Ｒ３及びＲ４を含む。
【０２３１】
Ｒ３及びＲ４は電圧分割ネットワークを形成し、バッテリの電圧を検出してバッテリの電圧値を取得し、バッテリの電圧値を制御回路に提供する。制御回路は、バッテリの電圧値に従って保護回路の保護閾値及び調整回路の調整閾値を決定するように構成される。
【０２３２】
第２の電流検出回路は抵抗器Ｒ５及び増幅回路ＯＰ１を含む。
【０２３３】
具体的に、Ｒ５及びＯＰ１は充電電流サンプリング及び増幅回路を形成する。ＯＰ１は、同相増幅回路、逆増幅回路、又は差動増幅回路のうちの１つでもよい。
【０２３４】
第２の電流検出回路は、充電電流を検出するように構成される。
【０２３５】
調整回路は２つのＭＯＳトランジスタ（Ｑ１及びＱ２）、駆動回路、及び制御論理回路を含む。調整回路は、電流調整機能が１つのＭＯＳトランジスタを使用することにより達成されることもできるため、１つのＭＯＳトランジスタを代替的に含んでもよいことが留意されるべきである。
【０２３６】
制御論理回路は、充電電流を充電電流調整閾値の指定された下限値と比較する。充電電流が充電電流調整閾値の下限値より低い場合、制御論理回路はＭＯＳトランジスタの駆動電圧を徐々に増加させる。ＭＯＳトランジスタのドレイン・ソース・オン状態抵抗は、充電電流を増加させるために、ＭＯＳトランジスタのドレイン・ソース・オン状態抵抗が下限値に到達するまで徐々に減少する。
【０２３７】
制御論理回路は、充電電流を充電電流調整閾値の指定された上限値と比較する。充電電流が充電電流調整閾値の上限値より高い場合、制御論理回路はＭＯＳトランジスタの駆動電圧を減少させる。ＭＯＳトランジスタのドレイン・ソース・オン状態抵抗は、充電電流を減少させるために、徐々に増加する。
【０２３８】
駆動回路はＤＣ／ＡＣ変換回路を含み、Ｑ１及びＱ２のドレイン・ソース・オン状態抵抗を制御するために、制御論理回路の命令に従って電圧をＱ１及びＱ２に別個に出力する。
【０２３９】
Ｑ１及びＱ２はバッテリに直列に接続される。２つのＭＯＳトランジスタＱ１及びＱ２は充電パスの閉及び開を制御する。
【０２４０】
図８に示される充電回路は、以下のステップに従うことにより充電回路を調整してもよい。
【０２４１】
ステップ１：電圧検出回路がバッテリの電圧を検出してバッテリの電圧値を取得し、バッテリの電圧値を制御回路に送信する。
【０２４２】
ステップ２：第２の電流検出回路が充電電流を検出して充電電流値を取得し、充電電流値を制御回路に送信する。
【０２４３】
ステップ３：制御回路がバッテリの電圧値に従って充電モードを選択し、制御回路は選択された充電モードに従って保護回路の電流保護閾値及び電圧保護閾値をさらに構成してもよく、制御回路は選択された充電モードに従って調整回路の調整閾値範囲をさらに構成してもよい。
【０２４４】
ステップ４：ＣＭＰ１及びＣＭＰ２の比較回路が、過電流又は過電圧が発生しているかどうかを決定し、過電流又は過電圧が発生している場合、制御論理回路がスイッチオフコマンドを送信し、Ｑ１又はＱ２がオフに切り替えられる。
【０２４５】
ステップ５：制御論理回路が、充電電流を指定された充電電流調整閾値の上限及び下限と比較し、充電電流が充電電流調整閾値の下限より低い場合、制御論理回路はＭＯＳトランジスタの駆動電圧を徐々に増加させ、それにより、ＭＯＳトランジスタのドレイン・ソース・オン状態抵抗が、充電電流を増加させるために、ＭＯＳトランジスタのドレイン・ソース・オン状態抵抗が下限値に到達するまで徐々に減少し、或いは充電電流が充電電流調整の上限より高い場合、制御論理回路はＭＯＳトランジスタの駆動電圧を減少させ、それにより、ＭＯＳトランジスタのドレイン・ソース・オン状態抵抗が、充電電流を減少させるために、徐々に増加する。
【０２４６】
ステップ６：制御回路が、充電器の出力電圧を調整するための且つ調整回路により送信される要求を受信し、要求に従って充電電力調整命令を生成し、通信回路を使用することにより充電電力調整命令を外部の充電器にフィードバックする。
【０２４７】
ステップ７：外部の充電器が充電電力調整命令に従って出力電力を調整する。
【０２４８】
ステップ８：バッテリの端部における且つ検出回路により取得される電流値又は電圧値が充電カットオフ閾値に到達したとき、保護回路が開き、充電が終了する。
【０２４９】
本発明の実施例は充電方法をさらに提供する。方法は、バッテリの電圧を検出してバッテリの電圧値を取得するステップと、バッテリの電圧値に従って充電モードを選択するステップであり、一般的な充電モードが８Ａ充電、６Ａ充電、４Ａ充電などを含む、ステップと、充電モードに従って調整回路の電流上限値及び電流下限値を決定するステップと、充電電流値が電流上限値を超えたとき、バッテリ端部における充電電力を減少させるように調整回路のインピーダンスを上方に調整するステップと、次いで、制御回路に、充電器の出力電圧を下方に調整するように要求するステップと、充電器が出力電圧を下方に調整した後、調整回路のドレイン・ソース・オン状態抵抗を最小まで徐々に調整するステップであり、バッテリの電圧値が充電電圧カットオフ閾値に到達し、充電電流が充電電流カットオフ閾値に到達したとき、保護回路が開き、充電が終了する、ステップと、を具体的に含む。
【０２５０】
図１０に示されるように、図１０は充電方法を提供する。方法は以下のステップを含む。
【０２５１】
４０１：充電電流を検出して充電電流値を取得する。
【０２５２】
４０２：バッテリの電圧を検出してバッテリの電圧値を取得する。
【０２５３】
４０３：バッテリの電圧値に一致する充電モードを決定する。
【０２５４】
４０４：充電モードに従って電流上限値を決定する。
【０２５５】
４０５：充電電流値が電流上限値より大きいとき、充電電流値に従って充電パスのインピーダンスを上方に調整する。
【０２５６】
４０６：出力電力を下方に調整するための命令を充電器に送信し、それにより、充電器は命令に従って出力電力を下方に調整する。
【０２５７】
４０７：充電器の出力電力が減少したことを検出したとき、充電回路のインピーダンスを下方に徐々に調整する。
【０２５８】
ゆえに、本発明で提供される充電方法を用いて、充電電流が突然増加したとき、過度に高い充電電流に起因した充電回路及びバッテリへの損傷を防止するために、充電電流が調整され得ることが習得され得る。さらに、充電器が出力電流を下方に調整した後、充電電流が減少する。この場合、充電回路内の調整回路のインピーダンスが、充電効率を確保するために、充電電流を増加させるように下方に調整されてもよい。
【０２５９】
当業者は、この明細書において開示された実施例内で説明された例と組み合わせて、ユニット及びアルゴリズムステップが電子ハードウェア又はコンピュータソフトウェアと電子ハードウェアとの組み合わせにより実現され得ることを認識し得る。機能がハードウェアにより実行されるか又はソフトウェアにより実行されるかは、技術的解決策の特定の用途及び設計制約条件に依存する。当業者は、説明された機能を各々の特定の用途に対して実現するために異なる方法を使用し得るが、実現方式は本発明の範囲を越えると見なされるべきでない。
【０２６０】
簡便及び簡潔な説明を目的として、前述のシステム、装置、及びユニットの詳細な作動プロセスについて、前述の方法の実施例における対応するプロセスに対し参照が行われてよく、詳細はここで再度説明されないことが当業者により明確に理解され得る。
【０２６１】
この出願で提供されるいくつかの実施例において、開示されたシステム、装置、及び方法は他の方式で実現されてもよいことが理解されるべきである。例えば、説明された装置の実施例は例に過ぎない。例えば、ユニット分割は論理的な機能分割に過ぎず、実際の実現方式において他の分割でもよい。例えば、複数のユニット又はコンポーネントが組み合わせられ、或いは別のシステムに統合されてもよく、或いは、幾つかの特徴が無視されてもよく、或いは実行されなくてもよい。さらに、表示又は議論された相互結合又は直接結合又は通信接続はいくつかのインターフェースを通じて実現されてもよい。装置又はユニット間の間接結合又は通信接続は電子的、機械的、又は他の形式で実現されてもよい。
【０２６２】
別個の部分として説明されたユニットは物理的に別個であっても或いはそうでなくてもよく、ユニットとして表示された部分は物理ユニットであっても或いはそうでなくてもよく、１つの場所に位置してもよく、或いは複数のネットワークユニットに分散されてもよい。ユニットの一部又は全部が、実施例の解決策の目的を達成するために実際の要件に従って選択されてもよい。
【０２６３】
さらに、本発明の実施例における機能ユニットが１つの処理ユニットに統合されてもよく、或いは、ユニットの各々が物理的に単独で存在してもよく、或いは、２つ以上のユニットが１つのユニットに統合される。
【０２６４】
前述の説明は本発明の具体的な実現方式に過ぎず、本発明の保護範囲を限定することは意図されない。本発明で開示される技術的範囲内で当業者により容易に理解されるいかなる変形又は置換も本発明の保護範囲内に入るものとする。ゆえに、本発明の保護範囲は特許請求の範囲の保護範囲に従うものとする。
【手続補正２】
【補正対象書類名】特許請求の範囲
【補正対象項目名】全文
【補正方法】変更
【補正の内容】
【特許請求の範囲】
【請求項１】
充電回路であって、当該充電回路は充電器、端末負荷、及びバッテリに別個に接続され、当該充電回路は第１の調整回路、電流検出回路、電圧検出回路、及び制御回路を含み、
前記第１の調整回路の第１の端部が前記充電器に接続され、前記第１の調整回路の第２の端部が前記バッテリの正の電極に接続され、前記第１の調整回路の前記第２の端部は前記端末負荷にさらに接続され、前記第１の調整回路の第３の端部が前記制御回路に接続され、
前記バッテリの負の電極が前記充電器に接続され、
前記電流検出回路は、前記第１の調整回路の前記第２の端部と前記バッテリの前記正の電極との間に直列に接続され、或いは前記バッテリの前記負の電極と前記充電器との間に直列に接続され、
前記電圧検出回路の検出端部が、前記バッテリの前記正及び負の電極に並列に接続され、前記電圧検出回路の出力端部が前記制御回路に接続され、
前記電圧検出回路は、前記バッテリの２つの端部で電圧を検出して前記バッテリの電圧値を取得し、前記バッテリの前記電圧値を前記制御回路に送信するように構成され、
前記電流検出回路は、当該充電回路の電流を検出して当該充電回路の電流値を取得し、前記電流値を前記第１の調整回路に送信するように構成され、
前記制御回路は、前記バッテリの前記電圧値に従って充電モードを決定し、前記充電モードに従って電流上限値を決定するように構成され、
前記第１の調整回路は、前記電流値及び前記電流上限値を取得するように構成され、前記電流値を前記電流上限値と比較して前記電流値が前記電流上限値より大きいかどうかを決定し、前記電流値が前記電流上限値より大きいとき、前記電流値に従って前記第１の調整回路のインピーダンスを上方に調整するようにさらに構成される、
充電回路。
【請求項２】
前記制御回路は、前記充電モードに従って電流下限値を決定するようにさらに構成され、
前記第１の調整回路は、前記電流下限値を取得し、前記電流値を前記電流下限値と比較して前記電流値が前記電流下限値より小さいかどうかを決定し、前記電流値が前記電流下限値より小さいとき、前記電流値に従って前記第１の調整回路の前記インピーダンスを下方に調整するようにさらに構成される、
請求項１に記載の充電回路。
【請求項３】
当該充電回路は保護回路をさらに含み、
前記保護回路は前記充電器と前記第１の調整回路の前記第１の端部との間に直列に接続され、
前記制御回路は前記保護回路にさらに接続され、
前記制御回路は、前記充電モードに従って保護トリガ条件を決定し、前記保護トリガ条件を前記保護回路に送信するようにさらに構成され、
前記保護回路は、前記充電器の出力電流を検出して出力電流値を決定し、前記出力電流値が前記保護トリガ条件を満たすかどうかを決定し、前記出力電流値が前記保護トリガ条件を満たすとき、スイッチを開いて充電を中断するように構成される、
請求項１又は２に記載の充電回路。
【請求項４】
当該充電回路は通信回路をさらに含み、前記通信回路は前記制御回路に接続され、
前記制御回路は、前記充電モードを前記通信回路に送信するようにさらに構成され、
前記通信回路は、前記充電モードを前記充電器に送信するように構成され、それにより、前記充電器は前記充電モードに従って充電を実行する、
請求項１乃至３のうちいずれか１項に記載の充電回路。
【請求項５】
当該充電回路は第２の調整回路をさらに含み、
前記第２の調整回路は前記第１の調整回路の前記第２の端部と前記バッテリの前記正の電極との間に直列に接続され、前記第２の調整回路は前記制御回路にさらに接続され、
前記制御回路は、前記充電モードに従って前記第２の調整回路の調整閾値を決定するようにさらに構成され、
前記第２の調整回路は、前記電流値と前記第２の調整回路の前記調整閾値とに従って前記第２の調整回路のインピーダンスを調整するように構成される、
請求項１乃至４のうちいずれか１項に記載の充電回路。
【請求項６】
当該充電回路は第３の調整回路及び電流監視回路をさらに含み、
前記第３の調整回路及び前記電流監視回路は、前記第１の調整回路の前記第２の端部と前記端末負荷との間に直列に接続され、前記電流監視回路は、前記端末負荷の電流の減少幅を監視し、前記減少幅が予め設定された閾値を超えたとき、調整命令を前記第３の調整回路に送信するように構成され、
前記第３の調整回路は、前記調整命令に従って前記第３の調整回路のインピーダンスを上方に調整するように構成される、
請求項１乃至５のうちいずれか１項に記載の充電回路。
【請求項７】
前記第３の調整回路は、予め設定された期間の後、前記第３の調整回路の前記インピーダンスを、前記インピーダンスが上方に調整される前の状態に戻すようにさらに構成される、
請求項６に記載の充電回路。
【請求項８】
充電回路であって、当該充電回路は充電器、端末負荷、及びバッテリに別個に接続され、当該充電回路は第１の調整回路、電流検出回路、電圧検出回路、及び制御回路を含み、
前記第１の調整回路の第１の端部が前記充電器に接続され、前記第１の調整回路の前記第１の端部は前記端末負荷にさらに接続され、前記第１の調整回路の第２の端部が前記バッテリの正の電極に接続され、前記第１の調整回路の第３の端部が前記制御回路に接続され、
前記バッテリの負の電極が前記充電器に接続され、
前記電流検出回路は前記第１の調整回路の前記第２の端部と前記バッテリの前記正の電極との間に直列に接続され、或いは前記バッテリの前記負の電極と前記充電器との間に直列に接続され、
前記電圧検出回路の検出端部が前記バッテリの前記正及び負の電極に並列に接続され、前記電圧検出回路の出力端部が前記制御回路に接続され、
前記電圧検出回路は、前記バッテリの２つの端部で電圧を検出して前記バッテリの電圧値を取得し、前記バッテリの前記電圧値を前記制御回路に送信するように構成され、
前記電流検出回路は、当該充電回路の電流を検出して当該充電回路の電流値を取得し、前記電流値を前記第１の調整回路に送信するように構成され、
前記制御回路は、前記バッテリの前記電圧値に従って充電モードを決定し、前記充電モードに従って電流上限値を決定するように構成され、
前記第１の調整回路は、前記電流値及び前記電流上限値を取得するように構成され、前記電流値を前記電流上限値と比較して前記電流値が前記電流上限値より大きいかどうかを決定し、前記電流値が前記電流上限値より大きいとき、前記電流値に従って前記第１の調整回路のインピーダンスを上方に調整するようにさらに構成される、
充電回路。
【請求項９】
前記制御回路は、前記充電モードに従って電流下限値を決定するようにさらに構成され、
前記第１の調整回路は、前記電流下限値を取得し、前記電流値を前記電流下限値と比較して前記電流値が前記電流下限値より小さいかどうかを決定し、前記電流値が前記電流下限値より小さいとき、前記電流値に従って前記第１の調整回路の前記インピーダンスを下方に調整するように構成される、
請求項８に記載の充電回路。
【請求項１０】
当該充電回路は保護回路をさらに含み、
前記保護回路は前記充電器と前記第１の調整回路の前記第１の端部との間に直列に接続され、
前記制御回路は前記保護回路にさらに接続され、
前記制御回路は、前記充電モードに従って保護トリガ条件を決定し、前記保護トリガ条件を前記保護回路に送信するようにさらに構成され、
前記保護回路は、前記充電器の出力電流を検出して出力電流値を決定し、前記出力電流値が前記保護トリガ条件を満たすかどうかを決定し、前記出力電流値が前記保護トリガ条件を満たすとき、スイッチを開いて充電を中断するように構成される、
請求項８又は９に記載の充電回路。
【請求項１１】
当該充電回路は通信回路をさらに含み、当該通信回路は前記制御回路に接続され、
前記制御回路は、前記充電モードを前記通信回路に送信するようにさらに構成され、
前記通信回路は、前記充電モードを前記充電器に送信するように構成され、それにより、前記充電器は前記充電モードに従って充電を実行する、
請求項８乃至１０のうちいずれか１項に記載の充電回路。
【請求項１２】
当該充電回路は第２の調整回路及び電流監視回路をさらに含み、
前記第２の調整回路及び前記電流監視回路は、前記第１の調整回路の前記第１の端部と前記端末負荷との間に直列に接続され、
前記電流監視回路は、前記端末負荷の電流の減少幅を監視し、前記減少幅が予め設定された閾値を超えたとき、調整命令を前記第２の調整回路に送信するように構成され、
前記第２の調整回路は、前記調整命令に従って前記第２の調整回路のインピーダンスを上方に調整するように構成される、
請求項８乃至１１のうちいずれか１項に記載の充電回路。
【請求項１３】
前記第２の調整回路は、予め設定された期間の後、前記第２の調整回路の前記インピーダンスを、前記インピーダンスが上方に調整される前の状態に戻すようにさらに構成される、
請求項１２に記載の充電回路。
【請求項１４】
充電回路であって、当該充電回路は充電器、端末負荷、及びバッテリに別個に接続され、当該充電回路は調整回路及び電流監視回路を含み、
前記調整回路の第１の端部が前記充電器に接続され、前記調整回路の第２の端部が前記電流監視回路の第１の端部に接続され、前記電流監視回路の第２の端部が前記端末負荷に接続され、
前記充電器の正の電極が前記バッテリの正の電極に接続され、前記充電器の負の電極が前記バッテリの負の電極に接続され、
前記電流監視回路は、前記端末負荷の電流の減少幅を監視し、前記減少幅が予め設定された閾値を超えたとき、調整命令を前記調整回路に送信するように構成され、
前記調整回路は、前記調整命令に従って前記調整回路のインピーダンスを上方に調整するように構成される、
充電回路。
【請求項１５】
前記調整回路は、予め設定された期間の後、前記調整回路の前記インピーダンスを、前記インピーダンスが上方に調整される前の状態に戻すようにさらに構成される、
請求項１４に記載の充電回路。
【国際調査報告】
2019530412.tif 000019
2019530412.tif 000020
2019530412.tif 000021
2019530412.tif 000022